(57)【要約】【課題】球の払出処理時に払出し不足球が発生したときでも、払出速度の低下を防ぐことができるパチンコ機を提供する。【解決手段】払出制御部４５から払出装置４６へ送られる払出モータ駆動信号に基づいて、１回の払出処理で払い出すべき球数に応じた分だけ払出モータ６０を駆動し、その回転動作を払出モータ位置検出スイッチ６１によって検出する。また、実際に払い出された球数を払出計数スイッチ３２によって計数する。１回の払出処理で払出不足球が発生した場合、直に払出エラー処理を行なわないで、その不足球数を累積加算していき、その累積数が所定数に達するまでは通常の払出動作を継続する。払出不足が連続して発生しその累積数が所定数に達したときに初めて払出エラー処理を行なう。【選択図】図５
2008093104.tif 000002
【特許請求の範囲】
【請求項１】
遊技者に対して払出すべき球がある場合に払出駆動信号を送信する払出制御部と、
前記払出駆動信号に基づいて球の払い出しを行なう払出装置と、
前記払出装置によって実際に払い出された球を計数する払出計数スイッチとを備え、
前記払出制御部は、前記遊技者に対して払い出すべき球の総数がカウント値としてセットされ、該セットされた数が前記払出計数スイッチによる払出球数の計数毎に減少していく球総数カウンタと、
前記球総数カウンタの値が、予め定めた所定の球払出数以下の場合は、該球総数カウンタの値がカウント値としてセットされ、前記球総数カウンタの値が、前記予め定めた所定の球払出数よりも多い場合は、前記予め定めた所定の球払出数がカウント値としてセットされる払出数カウンタと、
前記払出数カウンタに応じた前記払出駆動信号に基づいて前記払出装置による球の払い出しが行なわれ、該払出しにおいて前記払出計数スイッチにより計数された球数が前記払出数カウンタにセットされたカウント値よりも少ない場合には、その不足数を初期値に累積していく不足カウンタとを有し、
前記不足カウンタの値が予め定めた所定の不足数に達するまでは、前記払出数カウンタに応じた前記払出駆動信号に基づく球の払出処理を行ない、前記不足カウンタの値が予め定めた所定の不足数に達したときは、払出機構障害処理としての払出処理を行なうことを特徴とするパチンコ機。
【請求項２】
遊技領域に設けられた入賞口への球の入賞又は遊技者による球の貸出操作に基づいて払出駆動信号を送信する払出制御部と、
前記払出駆動信号に基づいて賞球又は貸球の払い出しを行なう払出装置と、
前記払出装置によって実際に払い出された賞球又は貸球を計数する払出計数スイッチとを備え、
前記払出制御部は、前記遊技者に対して払い出すべき賞球の総数がカウント値としてセットされ、該セットされた数が前記払出計数スイッチによる払出球数の計数毎に減少していく賞球総数カウンタと、
前記遊技者に対して払い出すべき貸球の総数がカウント値としてセットされ、該セットされた数が前記払出計数スイッチによる払出球数の計数毎に減少していく貸球総数カウンタと、
賞球の払出しが行なわれる場合、前記賞球総数カウンタの値が、予め定めた所定の賞球払出数以下のときは、該賞球総数カウンタの値がカウント値としてセットされ、前記賞球総数カウンタの値が、前記予め定めた所定の賞球払出数よりも多いときは、前記予め定めた所定の賞球払出数がカウント値としてセットされ、貸球の払出しが行なわれる場合、前記貸球総数カウンタの値がカウント値としてセットされる払出数カウンタと、
前記払出数カウンタに応じた前記払出駆動信号に基づいて前記払出装置による賞球又は貸球の払い出しが行なわれ、前記払出計数スイッチにより計数された賞球数又は貸球数が前記払出数カウンタにセットされたそれぞれのカウント値よりも少ない場合には、その不足数を初期値に累積していく不足カウンタとを有し、
前記不足カウンタの値が予め定めた所定の不足数に達するまでは、前記払出数カウンタに応じた前記払出駆動信号に基づく賞球又は貸球の払出処理を行ない、前記不足カウンタの値が予め定めた所定の不足数に達したときは、払出機構障害処理としての払出処理を行なうことを特徴とするパチンコ機。
【請求項３】
前記不足カウンタの値は、前記払出数カウンタに応じた前記払出駆動信号に基づく球の払い出しが不足数なく行なわれた時点で前記初期値に戻ることを特徴とする請求項１に記載のパチンコ機。
【請求項４】
前記不足カウンタの値は、前記払出数カウンタに応じた前記払出駆動信号に基づく賞球又は貸球の払い出しが不足数なく行なわれた時点で前記初期値に戻ることを特徴とする請求項２に記載のパチンコ機。
【発明の詳細な説明】
【技術分野】
【０００１】
本発明は、球を払出すための払出装置を備えたパチンコ機に関するもの、特に、球の払出し速度の低下を防止することができるパチンコ機に関するものである。
【背景技術】
【０００２】
従来から払出装置を備えたパチンコ機に関する発明は提案されている。例えば、払出すべき球数に相当する分だけ球払出装置を動作させ所定の球数を払出すように構成するパチンコ機において、球詰まり等の原因により、実際に球皿部に払出された球数が払出すべき所定数に満たないことが生じるという不具合に対し、以下のように払出処理を行なうパチンコ機がある。即ち、球皿部に実際に払出される球を検出する球検出手段を設け、球払出装置を球１個分払い出すだけ動作させて、それに応じて球検出手段がその球を検出したか否かを確認し、払出球を検出したことが確認された後に再度、球払出装置を作動させて球を１個払出すというように球検出手段により払出球を１個ずつ確認しながら球払出装置を繰り返し動作させて所定個数の球を確実に球皿部に払出すように制御する。
【０００３】
しかし、このように払出球を１個ずつ確認する方法を採用した場合には、その確認動作に時間を要し、球の払出速度が遅くなってしまうという欠点が生じる。そこでその欠点を解消すべく下記に示す特許文献１には、以下のように制御を行なう遊技機が開示されている。即ち、所定の入賞領域に打玉が入賞する等して玉払出条件が成立したときに、玉払出装置がとりあえず払出すべき所定数に相当する量だけ払出動作を行なう。また、玉払出装置の払出動作により実際に玉貯留部に払出される玉数を払出玉数計数手段により計数する。そして、玉払出装置による所定数に相当する量だけの払出動作が終了した段階で、払出玉数計数手段により計数された払出玉数が払出すべき所定数に満たない場合に、その不足数に相当する量だけ玉払出装置を払出動作させる。
【０００４】
【特許文献１】特許第３２７６６５６号公報
【発明の開示】
【発明が解決しようとする課題】
【０００５】
しかしながら、上記特許文献１に開示されたパチンコ機は、前述のように払出玉の１個ずつを確認しながら玉払出装置を繰り返し動作させる払出制御はしていないものの、所定玉数を払出す１回の払出動作毎に払出玉数に不足分があるときは、その不足分を払出す新たな払出動作を行なわなければならず、迅速な払出動作を行なうものとしては十分な制御でなかった。
【０００６】
そこで、本願発明はこのような事情に鑑みてなされたものであり、払出球の不足時、例えば、貸出球や賞球の払出不足時における迅速な払出処理を実現することができるパチンコ機の提供を目的とするものである。
【課題を解決するための手段】
【０００７】
上記課題を解決するために、請求項１に係るパチンコ機の発明は、遊技者に対して払出すべき球がある場合に払出駆動信号を送信する払出制御部と、前記払出駆動信号に基づいて球の払い出しを行なう払出装置と、前記払出装置によって実際に払い出された球を計数する払出計数スイッチとを備え、前記払出制御部は、前記遊技者に対して払い出すべき球の総数がカウント値としてセットされ、該セットされた数が前記払出計数スイッチによる払出球数の計数毎に減少していく球総数カウンタと、前記球総数カウンタの値が、予め定めた所定の球払出数以下の場合は、該球総数カウンタの値がカウント値としてセットされ、前記球総数カウンタの値が、前記予め定めた所定の球払出数よりも多い場合は、前記予め定めた所定の球払出数がカウント値としてセットされる払出数カウンタと、前記払出数カウンタに応じた前記払出駆動信号に基づいて前記払出装置による球の払い出しが行なわれ、該払出しにおいて前記払出計数スイッチにより計数された球数が前記払出数カウンタにセットされたカウント値よりも少ない場合には、その不足数を初期値に累積していく不足カウンタとを有し、前記不足カウンタの値が予め定めた所定の不足数に達するまでは、前記払出数カウンタに応じた前記払出駆動信号に基づく球の払出処理を行ない、前記不足カウンタの値が予め定めた所定の不足数に達したときは、払出機構障害処理としての払出処理を行なうことを特徴とするものである。
【０００８】
また、請求項２に係る発明は、遊技領域に設けられた入賞口への球の入賞又は遊技者による球の貸出操作に基づいて払出駆動信号を送信する払出制御部と、前記払出駆動信号に基づいて賞球又は貸球の払い出しを行なう払出装置と、前記払出装置によって実際に払い出された賞球又は貸球を計数する払出計数スイッチとを備え、前記払出制御部は、前記遊技者に対して払い出すべき賞球の総数がカウント値としてセットされ、該セットされた数が前記払出計数スイッチによる払出球数の計数毎に減少していく賞球総数カウンタと、前記遊技者に対して払い出すべき貸球の総数がカウント値としてセットされ、該セットされた数が前記払出計数スイッチによる払出球数の計数毎に減少していく貸球総数カウンタと、賞球の払出しが行なわれる場合、前記賞球総数カウンタの値が、予め定めた所定の賞球払出数以下のときは、該賞球総数カウンタの値がカウント値としてセットされ、前記賞球総数カウンタの値が、前記予め定めた所定の賞球払出数よりも多いときは、前記予め定めた所定の賞球払出数がカウント値としてセットされ、貸球の払出しが行なわれる場合、前記貸球総数カウンタの値がカウント値としてセットされる払出数カウンタと、前記払出数カウンタに応じた前記払出駆動信号に基づいて前記払出装置による賞球又は貸球の払い出しが行なわれ、前記払出計数スイッチにより計数された賞球数又は貸球数が前記払出数カウンタにセットされたそれぞれのカウント値よりも少ない場合には、その不足数を初期値に累積していく不足カウンタとを有し、前記不足カウンタの値が予め定めた所定の不足数に達するまでは、前記払出数カウンタに応じた前記払出駆動信号に基づく賞球又は貸球の払出処理を行ない、前記不足カウンタの値が予め定めた所定の不足数に達したときは、払出機構障害処理としての払出処理を行なうことを特徴とするものである。
【０００９】
また、請求項３に係る発明は、請求項１のパチンコ機において、前記不足カウンタの値は、前記払出数カウンタに応じた前記払出駆動信号に基づく球の払い出しが不足数なく行なわれた時点で前記初期値に戻ることを特徴とするものである。
【００１０】
また、請求項４に係る発明は、請求項２のパチンコ機において、前記不足カウンタの値は、前記払出数カウンタに応じた前記払出駆動信号に基づく賞球又は貸球の払い出しが不足数なく行なわれた時点で前記初期値に戻ることを特徴とするものである。
【発明の効果】
【００１１】
本発明によれば、貸出球あるいは賞球等の払出処理において払出球に不足球が発生したときに、払出速度の低下を防ぐことができ、満足できるパチンコ遊技を遊技者に提供することができる。
【発明を実施するための最良の形態】
【００１２】
以下、本発明に係るパチンコ機の実施の形態を添付図面に基づいて説明する。
図１は、パチンコ機の一形態を示す正面図である。このパチンコ機１は、遊技領域５の略中央部にいわゆるセンター役物として画像表示装置２を備えたパチンコ機である。画像表示装置２には、例えば、複数列あるいは複数行に、複数種類の演出図柄が変動表示あるいは停止表示される。
【００１３】
図示を省略する発射装置から遊技球が打ち出され、打ち出された遊技球が所定の入賞口（例えば、始動入賞口１０）へ入賞すると、その入賞に基づいて画像表示装置２に複数の図柄（数字や文字あるいは絵柄等）が予め定められた所定時間変動表示される。所定時間が経過すると、乱数の中から抽選によって選択された図柄が停止表示され、その停止表示された図柄が予め定められた特定の組み合わせ図柄の場合、大入賞口３が所定時間（例えば、３０秒間）連続して開放し遊技球の入賞し易い状態となって短時間で多くの賞球を得ることが可能となり、遊技者に有利な特別遊技状態（当たり状態）が発生する。また、当たり遊技状態の発生に伴って当たり演出の画像が画像表示装置２に表示される。
【００１４】
パチンコ機１は前面枠２１を備えており、その前面枠２１に対して開閉可能に窓枠２２が蝶着されている。窓枠２２の裏側には、略正方形状の遊技盤が配設されている。遊技盤上には、発射装置から打出された遊技球を誘導する略円弧状の外レール８ａ及び内レール８ｂが設けられ、この二つのレール８ａと８ｂによって囲まれた部分が遊技領域５を形成している。発射装置から打出された遊技球はこの遊技領域５を流下する。そして遊技球が遊技領域５に設けられている入賞口に入賞する等の所定の条件を満たすと、予め定められている数の賞球が背面側に設けられている貯留部から球皿部１３に払い出される。画像表示装置（例えば、液晶表示装置）２には、図柄の変動表示と停止表示、および動画像による当たり演出表示、はずれ演出表示等が行われる画像表示部（液晶表示部）９が設けられている。画像表示部９には、この形態では３列からなる左表示部９ａ、中表示部９ｂ、右表示部９ｃが設けられており、それぞれの表示部に複数種類の図柄が上下方向へ独立して変動表示、および停止表示される。また、画像表示部９の全体を使用して、特別遊技状態発生時に当たり演出画像が表示される。
【００１５】
画像表示装置２の下側には始動入賞口１０が設けられており、この始動入賞口１０への遊技球の入賞に基づいて、画像表示部９に図柄の変動表示動作が開始される。変動表示動作中（一回の変動表示動作が行なわれている間）に、さらに遊技球が始動入賞口１０に入賞すると、その入賞した遊技球に対する図柄の変動表示動作は、先に入賞した遊技球に対する変動表示動作が終了するまで保留（ストック）される。保留された旨およびその保留回数は、可変表示装置２の上部に設けられた保留表示器７（例えば、ＬＥＤ）の点灯によって表示される。始動入賞口１０の下側には、表示部９ａ〜９ｃに特定の図柄の組み合わせが停止表示したとき、例えば、「６」「６」「６」、「７」「７」「７」のように同じ図柄が３つ停止表示したとき（以下、当たり発生時ともいう）に開状態と閉状態とに変化する大入賞口（アタッカーともいわれる）３が設けられている。大入賞口３には、開閉動作する扉が設けられ、扉の閉鎖時には遊技領域５から大入賞口３内に遊技球が入賞することはなく、開放時にのみ入賞可能な構成になっている。
【００１６】
大入賞口３の左右両側には、一般入賞口１１が設けられている。また、大入賞口３の下側には、遊技領域５を流下していずれの入賞口にも入賞しなかった遊技球、いわゆる外れ球が排出されるアウト口１２が設けられている。遊技盤の前面を覆う窓枠２２の下方部には、球皿部１３を備えた一体皿１４が設けられている。一体皿１４の右側下部には、回転操作によって発射装置から発射される遊技球の発射強度、即ち、遊技球の飛距離を調整するためのハンドルグリップ１５が設けられている。各入賞口への遊技球の入賞に対する賞球数は予め定められており、この形態では、例えば、始動入賞口１０へ入賞すると３球の賞球が、一般入賞口１１へ入賞すると１０球の賞球が、大入賞口３へ入賞すると１５球の賞球が払出される。
【００１７】
また、パチンコ機１の左側には、貸出し可能球数等の有価価値情報が記録されている情報記録媒体（プリペイドカード）を挿入することによって、遊技球の貸出しを可能とするための遊技球貸出装置（ＣＲユニット）１６が配置されている。一体皿１４に設けられた貸出ボタン１８を押下操作することにより、予め定められた所定数単位の貸出球、例えば、１操作あたり２５球の貸出球が球払出装置の制御によって貯留部から球皿部１３に払出される。即ち、１回の貸出操作によって貯留部から連続して払出される貸出球の一単位の個数が、貸出個数の一単位（例えば、１００円に対して払出される２５球の貸出球）に設定されている。貸出球の払出しに伴ってプリペイドカードの有価価値情報は減少していく。また、返却ボタン１９を押下操作することによりプリペイドカードがＣＲユニット１６から排出返却される。
【００１８】
図２は、パチンコ機１の背面斜視図を示している。賞球あるいは貸出球のために払出す遊技球は、背部に設けられている貯留部２５に貯留されている。この貯留部２５には、パチンコホールの設備として設けられている遊技球循環システムによって、貯留部２５の遊技球数が所定球数以下となった時点で補給されるように設定されている。貯留部２５と一体皿１４とはパチンコ機１の背面側に設けられた払出機構部２６の払出球案内路２４によって連通しており、貯留部２５から払出された球はこの案内路２４を通って球皿部１３に繋がる連通口１７から払出される。
【００１９】
貯留部２５の遊技球は送出機構部２６の動作によって順次、払出される。この払出しには、前述したように、遊技の進行に応じて所定の入賞口に遊技球が入賞したときに払出される賞球のための払出しと、遊技者に遊技球を貸出すときに払出される貸出球のための払出しの２種類があり、送出機構部２６の動作によって所定数の遊技球が払出される。貯留部２５は、遊技球が複数層重なった状態で貯留される受入部２７と、受入部２７に受け入れられた遊技球を整列させて送り出す送出部２８から構成されている。受入部２７の低部は、所定の角度を有する勾配となっており、貯留された遊技球は、徐々に送出部２８方向へ流動する構成となっている。
【００２０】
図３は、送出機構部２６をパチンコ機１の左右方向に沿って鉛直方向に切ったときの断面図を示す。送出部２８の流動方向の下流部には、送出機構部２６の一部を構成しているスプロケット２９が設けられている。スプロケット２９には、その周面に複数の半円状の凹部３０（この形態では６個）が設けられている。スプロケット２９の回転軸３１は、払出モータ（図示省略）に連結されている。払出モータにはステッピングモータが使用されており、１ステップの速度を変更することで回転速度を調整することができる。払出モータが回転するとスプロケット２９が反時計廻りに回転して、送出部２８を流動する遊技球（遊技球の一部分）を順次、凹部３０に収容する。これにより、スプロケット２９が所定角度回転する毎に、それぞれの凹部３０収容された遊技球は、１個ずつ、さらに下流部に送り出される。
【００２１】
スプロケット２９の凹部３０から送出された遊技球は、送出部２８の下流端部には設けられている払出計数スイッチ３２によって検出される。払出モータの回転状態は、払出モータ位置検出部によって検出される。例えば、スプロケット２９の回転軸３１には、周縁に沿って均等にスリットが形成されたスリット板が設けられ、このスリット板を挟むように光電センサが設けられている。このスリット板と光電センサによってパルスエンコーダ（払出モータ位置検出部）が構成され、回転軸３１の所定角度（この形態では、凹部３０の１／２ピッチ）の回転によって１パルスの信号が光電センサから払出制御部（後述する）に送信される。即ち、この１パルスの信号が、払出モータによって送出路２８から１個の遊技球を払出すための動作回数信号であるといえる。この動作回数信号に基づいて、遊技球を払出すと共に、払出計数スイッチ３２によって検出された実際の払出球数と動作回数信号数とを対比することにより、払出球数の適否を判別することができる。払出球が不足なく払出されるとき、動作回数信号が１パルス出力される毎に、送出路２８から１個の遊技球が払出され、実際の払出球数と動作回数信号数とが同数となり払出球数が適切であると判別される。
【００２２】
払出モータを駆動するステップ周期は、例えば、２ｍｓｅｃの周期で出力されたとき、１分間に６００〜８００個の遊技球の払出が可能となる。即ち、動作回数信号が１分間に６００〜８００出力されることになる。尚、払出モータの駆動開始時は、より確実な払出を確保するために、払出モータの回転速度、即ち、ステップ周期が通常のステップ周期の１／２とされている。これにより払出開始時の急激な払出球の移動開始を防止することができ、送出路２８の緩やかなスロープに沿って流動する払出球を隙間が生じないように互いにほぼ密着した状態で流動させることができ、スプロケット２９の空送りを防止することができる。
【００２３】
図４は、本発明に係るパチンコ機の制御部の主な構成を示すブロック図の一形態である。
制御部は、遊技の主な制御を司っている主制御部４０と、主制御部４０からの制御コマンドに基づいて制御されている演出制御部４１、及び払出制御部４５とから構成されている。演出制御部４１は、主制御部４０から送信された制御コマンドの解析を行ない図柄・音声制御部４２、表示灯４３等の制御を行っている。図柄・音声制御部４２は、演出制御部４１からの制御コマンドに基づいて演出図柄（デモ図柄）に関する表示部（画像表示装置）２の制御、及びスピーカ４４の制御を行なっている。また、払出制御部４５は、主制御部４０から送信された制御コマンドの解析を行ない、遊技球の払出装置４６、発射装置４７、貸出装置（ＣＲユニット）１６の制御を行なっている。各制御部は、ＲＯＭとＲＡＭを備えたＣＰＵからなり、ＲＯＭには各制御プログラム及び各種演出図柄データ等が書き込まれ、ＲＡＭはデータの書き込みおよび読み出し領域として使用されている。
【００２４】
主制御部４０には、始動入賞口１０へ入賞した入賞球を検出するための始動入賞スイッチ５０と、大入賞口３へ入賞した入賞球数を検出するカウントスイッチ５１と、一般入賞口１１へ入賞した入賞球を検出するための入賞口スイッチ５２が接続されている。また、大入賞口３内には大入賞口の開閉動作を継続するためのV入賞ゾーンが設けられており、V入賞ゾーンへ入賞した入賞球を検出するためのVスイッチ５３も主制御部４０に接続されている。さらに、主制御部４０には、始動入賞口１０に設けられた可動部材としての電動チューリップを開閉させるための始動入賞口ソレノイド５５と、大入賞口３を開閉させるための大入賞口ソレノイド５６が接続されている。また、パチンコ機１の遊技進行状態を示す情報をホールコンピュータへ出力するために、主制御部４０には盤用外部端子５７が接続されている。
【００２５】
ハンドル１５操作によって発射装置４７から打ち出された遊技球が始動入賞口１０へ入賞すると、その遊技球は始動入賞口１０に設けられた始動入賞スイッチ５０によって検出される。始動入賞スイッチ５０の検出信号は、始動入賞信号として主制御部４０に入力される。主制御部４０は、この始動入賞信号の入力に基づいて、その遊技球の入賞に対する演出図柄の変動表示を画像表示装置２に開始すると共に、乱数の抽選処理を行ない、演出図柄変動表示の当たり／はずれを決定する。
【００２６】
主制御部４０は、決定された演出図柄変動表示の態様（当たり／はずれ）に基づいて、変動のモード（通常変動、時短１変動、時短２変動）、リーチ変動、当たりの場合にはノーマル当たり／確変当たり等の情報を含む変動パターンを、変動パターンコマンドとして演出制御部４１に送信する。また、主制御部４０は、はずれを示す情報、または当たり及びその種類（例えば、確率変動を伴う当たり、単発の当たり、大当たり、中当たり、小当たりのいずれであるか）を示す情報である特別演出図柄情報を指定して図柄指定コマンドとして演出制御部４１に送信する。ここで確率変動を伴う当たりとは、当たり遊技終了後の当たり抽選遊技の確率が、通常時と変えて設定（例えば、通常の当たり確率より高く設定）される当たりのことをいう。また、単発の当たりとは、当たり遊技終了後の当たり抽選遊技の確率が通常の当たり確率に設定される当たりのことをいう。また、大当たり、中当たり、小当たりとは、それぞれ賞球獲得数が異なる当たりのことをいう。
【００２７】
演出制御部４１は、主制御部４０から変動パターンコマンドを受信することにより始動入賞口１０への遊技球の入賞を検出している。演出制御部４１はこの検出に基づいて、変動パターンコマンドを図柄・音声制御部４２に送信している。そして、図柄・音声制御部４２は、この変動パターンコマンドに基づいて画像表示装置２に演出図柄の変動表示を行い、スピーカ４４から演出音声を出力している。
【００２８】
図５は、図４に示すブロック図のうち、払出制御部４５の詳しい構成を示す図の一形態である。
発射装置４７には、払出制御部４５に貸出装置１６が接続されている状態であることを表わす遊技球貸出装置接続信号が送信される。この信号の受信により発射装置４７の機能が有効となる。払出装置４６には、送出機構部２６の駆動源である払出モータ６０と、この払出モータ６０の位置（１個の払出球を排出するための動作回数に相当する）を検出するための払出モータ位置検出スイッチ６１が設けられている。払出制御部４５から払出モータ６０へ払出駆動信号が送出されることで払出モータ６０が駆動を開始し、この払出モータ６０の駆動状態を払出モータ位置検出スイッチ６１によって検出し、それを払出制御部４５へフィードバックしている。また、払出制御部４５には、払出経路を流動する払出球が球切れであることを検出する払出路球切スイッチ６２と、球皿部１３が満タン状態になっていることを検出する満タンスイッチ６３と、払出装置４６から実際に払出された払出球を検出する払出計数スイッチ３２が接続されている。
【００２９】
貸出装置１６は、パチンコ機１とは別に設置されるものであり、互いの通信プロトコルを確立するために、貸出装置１６から払出制御部４５に対して、貸出装置１６の電源投入状態を判別するための電源＋１８Ｖ信号、貸出装置１６が貸出の処理中であることを伝達するカードユニットREADY信号（BRDY）、及び貸出装置１６が基本単位分の貸出を要求する台端末貸出要求完了確認信号（BRQ）を送信している。これに対して払出制御部４５から貸出装置１６ヘは、基本単位分の貸出が終了したことを伝達する台端末貸出完了信号（EXS）、払出動作が可能であることを伝達する台READY信号（PRDY）が送信されている。貸出操作が行なわれる（例えば、１００円が貸出装置１６に投入される）と、貸出装置１６は、払出制御部４５から払出動作が可能であることを伝達する台READY信号（PRDY）が送信されていることを確認した後、払出制御部４５へ、貸出装置１６が貸出の処理中であることを伝達するBRDYのオンと、基本単位分の貸出要求がある旨を伝達するBRQのオンを送信する。これに対して、払出制御部４５は、貸出装置１６へ、基本単位分の貸出が終了していないことを伝達するEXSのオンを送信する。すると貸出装置１６は、払出制御部４５へ、基本単位分の貸出を要求するBRQのオフを送信する。この信号を受けて払出制御部４５は、基本単位分の球貸し払い出し動作を行ない、払出動作が終了すると、基本単位分の貸出が終了したことを伝達するEXSのオフを、貸出装置１６へ送信する。さらに、連続して貸出操作が行なわれている（例えば、次の１００円が貸出装置１６に投入されている）場合には、貸出装置１６から払出制御部４５へBRQのオンが送信され、同様に球貸し払い出し処理が行なわれる。一方、次の貸出操作が行なわれていない場合には、払出制御部４５が、貸出装置１６から送信されてくる、貸出装置１６が貸出の処理中ではないことを伝達するBRDYのオフを受信して処理を終了する。
【００３０】
払出制御部４５は、主制御部４０からのコマンドに基づいて賞球、貸出し等の制御を行なっているが、その制御結果の応答信号として、例えば、球皿部１３が満タンになったことを知らせる満タン状態信号を主制御部４０へ送信している。その結果、例えば、主制御部４０から演出制御部４１へコマンドが送信され、その満タンである旨が、スピーカ４４、画像表示装置２、表示灯４３等によって報知される。さらに、図示は省略するが、この他、払出路が球切れ状態であることを知らせる払出路球切れ状態信号、払出しにエラーが発生した場合にはその旨を知らせる払出エラー信号を主制御部４０へ送信し、払出計数スイッチ３２によって計数された払出球の計数信号も主制御部４０へ送信している。この場合、これらの信号に基づき主制御部４０でも払出管理を行なうようにしてもよい。
【００３１】
また、払出制御部４５は、払出制御部に設けられた状態表示灯の制御を行なっている。遊技球等の貸出装置１６が接続されていないとき遊技球等貸出装置未接続状態表示灯を点灯あるいは点滅等させ、払出球にエラーが発生したとき払出エラー状態表示灯を点灯／点滅等させ、払出路が球切れ状態になったとき払出路球切れ状態表示灯を点灯／点滅等させ、電源が供給されているとき電源表示灯を点灯させる制御を行なっている。さらに、これらの表示灯に対応してパチンコ機１の枠左側あるいは枠右側に設けられている枠左状態表示灯６５あるいは枠右状態表示灯６６の制御を行なっている。
【００３２】
また、払出制御部４５には、賞球、貸出球の払出し制御を行なうため、制御に関連する球数を記憶するための複数のカウンタが設けられている。具体的には、入賞口への遊技球の入賞に伴って遊技者が獲得した賞球の数あるいは球貸出し操作に伴って遊技者が得た貸出球等、即ち、遊技者に対して払い出すべき球数を記憶する“球総数カウンタ（賞球を記憶する賞球総数カウンタと貸出球を記憶する貸球総数カウンタが含まれる）”７５、払出し個数の１単位が記憶される“払出数カウンタ”７６、払出しモータの動作回数が記憶される“払出モータの動作回数カウンタ”７７、及び払出球数の不足数が記憶される“不足カウンタ”７８が設けられている。
【００３３】
また、払出制御部４５には、各制御部に必要な電源を供給する電源部６７が接続されている。電源部６７から払出制御部４５へは、ＲＡＭクリア信号、電源断検出信号が送信され得る。電源部６７に設けられているＲＡＭクリアスイッチが操作されると、その旨を表わすＲＡＭクリア信号が電源部６７から払出制御部４５へ送信される。さらに、電源部６７から供給している電源の遮断を検出した場合、その旨を示す電源断検出信号が電源部６７から払出制御部４５へ送信されている。
【００３４】
払出装置４６による遊技球の払い出し動作には、主制御部４０から受信したコマンドを解析して、記憶した獲得遊技球分の賞球を払い出す賞球払出制御による動作と、遊技球等貸出装置１６から信号を受けて、遊技者の要求する貸出球を払い出す球貸払出制御による動作とがある。以下、これらの払出制御について詳述する。
【００３５】
先ず、賞球払出制御には、主制御部４０から受信したコマンドを解析する処理と、獲得遊技球数分の賞球を払い出す基本賞球払出処理と、賞球の払出リトライ処理と、主制御部４０から送信された払出状態を設定する処理と、払出動作の停止処理と、払出動作の再開処理がある。
【００３６】
（１）受信したコマンドの解析処理
払出制御部４５は、主制御部４０から送信されるコマンドデータを受信し、そのコマンドデータを解析して、獲得遊技球数の記憶及び指定された状態の設定を行なう。具体的には、払出制御部４５は、図６に示すような種類のコマンド７０を受信する。コマンド７０は、ＭＯＤＥデータ１バイトとＥＶＥＮＴデータ１バイトの合計２バイトのコマンドからなる。コマンドには、払出個数を指示するデータ１５種類（MODE 80H、EVENT 01H〜0FH）と、払出状態を設定するデータ１種類（MODE 90H、EVENT 20H）とがある。MODE 80Hの受信により賞球系のコマンドであることが判別でき、MODE 90Hの受信により電源投入系のコマンドであることが判別できる。
【００３７】
例えば、遊技球が大入賞口３に入賞した場合、その賞球数は１５個であるため、主制御部４０から払出制御部４５に払出個数（１５個）を指定するコマンド（80H、0FH）が送信される。払出制御部４５は、このコマンド（80H、0FH）を受信すると払出個数（１５個）をＲＡＭ上に設けられた２バイト長（0〜65535）の獲得遊技球数に加算して記憶する。払出装置１６から払い出される１回分の賞球数は、予め所定数（例えば、最大２０球）に設定されており、次の入賞に基づく払出個数指定コマンドを受信する前に払出処理が完了するときは、上記記憶した１５個の賞球を払い出す。これに対して、上記記憶した１５個の賞球の払出処理の前に、次の入賞に基づく払出個数指定コマンドを受信したときは、そのコマンドで指定された払出個数を獲得遊技球数に加算記憶して行く。そして、払出処理時に獲得遊技球数が２０球を超えていた場合には最大払出球数である２０球を払い出す。
【００３８】
また、払出制御部４５は、払出状態を設定するコマンド（90H、20H）を受信すると、電源投入時に設定された払出禁止状態を解除して払出を可能とする状態に設定する。これが賞球払出制御の主制御部４０から送信された払出状態を設定する処理に相当する。
【００３９】
（２）基本賞球払出処理
図７は、基本賞球払出処理のタイミングチャートの一形態を示す。主制御部４０からのコマンドを受信して、獲得した遊技球数が、払出制御部４５に設けられた“賞球総数カウンタ”７５に記憶されると、払出し個数の１単位として所定数Ｎ個が、払出制御部４５に設けられている“払出数カウンタ”７６及び“払出モータの動作回数カウンタ”７７に設定される。この形態ではＮの最大個数は２０個に設定されており、払出時点において賞球総数カウンタ７５に記憶されている獲得遊技球数が２０個以下であれば、その記憶されているカウント値と同数の値がカウント値として（払出し個数の１単位として）“払出数カウンタ”７６及び“払出モータの動作回数カウンタ”７７に設定される。一方、獲得遊技球数が２０個を超えているときは、最大個数である２０個が、払出し個数の１単位として設定される。
【００４０】
そして先ず、払出制御部４５の制御（払出駆動信号）により払出モータ６０が１ステップ２.５００ｍｓｅｃの速度で正転方向に駆動される。次に、払出モータ位置検出スイッチ６１の１回目のオフからオンのエッジを確認した時点より、払出モータの速度を１ステップ１.２５０ｍｓｅｃに設定する。払出モータ位置検出スイッチのオフからオンのエッジを初回を含めてＮ回検出した後に、その時のモータの励磁状態を所定時間（例えば、３００ｍｓｅｃ）保持する。図７に示す形態では、Ｎ＝４に設定され、４回のオンエッジが検出された後に、正転方向に駆動されている払出モータの励磁を保持、即ち、正転しようとしている払出モータの回転を強制的にロックし、停止させた状態にしている。この一連の制御が１単位の賞球払い出し動作となる。励磁保持時間の経過後に、次の払い出しがない場合（獲得遊技球数がない場合）には、払出モータを停止させる。
【００４１】
払出モータ６０によって駆動されるスプロケット２９（図３）は、その周面に凹部３０がそれぞれ３２ステップ間隔で設けられている。従って、払出モータ６０が３２ステップ駆動される毎に凹部３０に収容された払出球は、１個ずつ送出されることになる。また、払出モータ６０が３２ステップ駆動される毎に“払出モータの動作回数カウンタ”７７に設定されたカウント値が１カウントずつ減少される。スプロケット２９によって実際に送出された払出球は、払出計数スイッチ３２により検出される。従って、スプロケット２９により不足無く払出球が送出された場合には、払出モータの動作回数カウンタ７７の減少したカウント値数と、払出モータ位置検出スイッチ６１によって検出された数を示すオンエッジ数と、払出計数スイッチ３２によって検出された払出球数を示すオンエッジ数とは同数となる。
【００４２】
図７では、不足無く定常に４球の払出球が払い出されており、払出モータ位置検出スイッチ６１により検出された４個のオンエッジに対応して、払出計数スイッチ３２によって４個の払出球が検出されている。払出計数スイッチ３２によって４球検出されたことにより“賞球総数カウンタ”７５のカウント値は４カウント減少される。また、３００ｍｓｅｃの励磁保持の後に払出モータが停止しており、獲得遊技球数の記憶が４球であったことを示している。尚、記憶した獲得遊技球数が残っている場合には、３００ｍｓｅｃの励磁保持の後に払出モータを停止させずに一連の１単位の賞球払い出し動作（Ａ期間の処理）を繰り返す。
【００４３】
（３）賞球の払出リトライ処理
賞球の払出リトライ処理は、異常払出処理が発生したときに行なわれる処理であり、（i）１単位の賞球払い出し動作を行なっても、払出計数スイッチ３２による検出数が正常でなく（不足払出数が発生し）、その不足個数を加算した累計が予め定められた所定数（例えば、２０個）以上になった場合に行なう払出機構障害時の処理、（ii）払出モータ６０の回転中に、払出モータ位置検出スイッチ６１のオフからオンのエッジが４８ステップ間、確認できなかった場合に行なうスリットエラー処理、（iii）前記スリットエラー処理を行なってもスリット復帰しなかった場合に行なうモータエラー時の処理がある。
【００４４】
（i）払出機構障害時の処理
図８は、払出機構障害時の処理のタイミングチャートの一形態を示す。１単位の賞球払い出し動作（基本賞球払出処理）を行ない、払い出し不足球が発生した場合、即ち、“払出モータの動作回数カウンタ”７７のカウント数と払出計数スイッチ３２によって検出された払出球数とに差が生じた場合には、その不足分の球数が、払出制御部４５に設けられている“不足カウンタ”７８に加算されていく。そして、その累積加算球数が所定数（例えば、２０個）に達すると、基本賞球払出処理（Ｂ期間の処理）の終了後に、５ｓｅｃの停止時間が確保され、その後にエラー時払出処理が開始される“払出機構障害時の処理”が行なわれる。但し、このエラー時払出処理においてその払出しが正常に行なわれたと確認された場合には、払出装置に機構的な障害はないと判別され、その後、通常の払出しに戻って基本賞球払出処理が再開される。尚、エラー時払出処理において正常な払出しが確認できなかった場合には、再度、５ｓｅｃの停止時間が確保された後にエラー時払出処理（“払出機構障害時の処理”）が繰り返される。これにより、賞球（払い出し）不足に伴うエラー処理回数を減らし、且つ、不足分の賞球の払い出しを確実に行なうことができる。
【００４５】
図８に示す基本賞球払出処理（Ｂ期間の処理）では、払出モータ位置検出スイッチ６１によって２回のオンエッジが検出されているため、２個の賞球を払出す旨の払出駆動信号が払出制御部４５から払出装置４６に送信されている。この場合、“払出数カウンタ”７６には２の値がセットされる。払出モータ６０が駆動される毎に“払出モータの動作回数カウンタ”７７のカウント値がデクリメントされ、払出計数スイッチ３２が払出球を検出する毎に“払出数カウンタ”７６のカウント値がデクリメントされる。そして、“払出モータの動作回数カウンタ”７７のカウント値が０まで達すると払出モータの駆動が停止し、払出処理が終了する。１回の基本賞球払出処理が終了すると、“払出モータの動作回数カウンタ”７７の減算数（ここでは払い出すべき払出球である２カウント）と払出計数スイッチ３２によって検出された実際の払出球数（“払出数カウンタ”７６のカウント値の変化）とが対比され、その数に差が生じた場合には、その差の球数分が“不足カウンタ”７８に累積加算される。
【００４６】
尚、払出数カウンタ”７６のカウント値の変化は、例えば、払出計数スイッチ３２が払出球を検出する毎にインクリメントさせるようにしてもよい。２個の賞球を払出す旨の払出駆動信号の送信に基づいて“払出数カウンタ”７６に“０”の値をセットし、払出計数スイッチ３２が払出球を検出する毎にインクリメントする。払出処理が終了したら、払い出すべき払出球である２カウントと“払出数カウンタ”７６のカウント値の変化とを対比して、その数に差が生じた場合に、その差の球数分を“不足カウンタ”７８に累積加算するようにしてもよい。
【００４７】
図８では、払出モータ６０の動作回数が２回であるため、正常の払出処理が行なわれた場合には、払出計数スイッチ３２によって２個の払出球の検出が行なわれなければならない。しかしながら、その払出されるべき２個の賞球のオンエッジ（破線で示すパルス８０、８１のオンエッジ）は検出されていない。従って、この場合その差の球数分である２球が不足球数として“不足カウンタ”７８に加算される。不足球数の加算は、定められたある初期値（例えば、“０”）に対して累積されていく。そして、この加算後の累積球数が２０個に達したとき図に示すように、５ｓｅｃの停止時間が確保された後にエラー時払出処理（“払出機構障害時の処理”）が行なわれる。
【００４８】
但し、加算後の累積球数が２０個に達していないときは、払出機構障害時の処理は行なわれず、次の基本賞球払出処理が引き続き行なわれる。次の基本賞球払出処理では、新たな遊技球が獲得されていなければ、今回の基本賞球払出処理（ここでは図８に示す処理）と同様に、獲得遊技球数として“賞球総数カウンタ”７５に記憶されている２球が払出球数として“払出数カウンタ”７６にセットされる。そして、次の基本賞球払出処理においても払出不足球数が発生した場合には、その球数分が“不足カウンタ”７８に加算される。今回の基本賞球払出処理（ここでは図８に示す処理）で２球が不足球数として“不足カウンタ”７８に加算されているので、今回の基本賞球払出処理までの“不足カウンタ”７８の値が、２球であったとすれば、次の基本賞球払出処理における払出不足球数、例えば、また２球の払出不足球数があったとすれば、その２球が加算され“不足カウンタ”７８の値は４球となる。
【００４９】
同様にして、加算後の累積球数が２０個に達しない限りは基本賞球払出処理が繰り返される。そして、不足球を伴う払出処理が連続し累積球数が２０個に達した時点で払出機構障害時の処理が行なわれる。もっとも、繰り返し行なわれる基本賞球払出処理の中で不足球なく正常な払出処理が行なわれた場合、即ち、払出制御部４５から送信された払出駆動信号の球数を不足なく払出装置４６によって払い出された場合には、その時点で払出装置の機構に障害はないと判断され、それまで記憶されていた“不足カウンタ”７８の累積球数は、初期値にセット（例えば、０（ゼロ）にクリア）される。これにより、賞球（払い出し）不足に伴うエラー処理回数を減らし、且つ、不足分の賞球の払い出しを確実に行なうことができる。また、払出機構障害時の処理が行なわれる不足カウンタの累積球数「２０」は、払出装置１６から連続して払い出される賞球の一単位の（１回分の）最大払出球数と同じ球数に設定されている。このように設定することによって、１回の払い出し処理において２０球の払出不足球が発生した場合（連続して払い出される賞球数が最大払出球数に設定され、その払出処理で１球も払出すことができなかった場合）には、直ちに払出機構障害が発生したと判断されるので、機構障害発生の判断期間がむやみに引き伸ばされることはない。
【００５０】
また、加算後の累積球数が２０個に達していないときであって、次の基本賞球払出処理までに新たな遊技球が獲得された場合、例えば、１０球の獲得遊技球数があった場合には、その遊技球数が“賞球総数カウンタ”７５に加算され、その総数はそれまでに記憶されていた球数（２球）と合わせて１２球となる。従って、次の基本賞球払出処理では、その１２球（Ｎの最大個数（２０個）以下）が払出球数として“払出数カウンタ”７６にセットされる。そして、上記と同様に、次の基本賞球払出処理においても払出不足球数が発生した場合には、その球数分が“不足カウンタ”７８に加算される。尚、不足球数の累積は、初期値に対して加算される手段に限定されるものではなく、例えば、初期値を“２０”として、生じた不足球数をその初期値から順次減算して行き、その累積が２０個に達した時点、即ち、“０”になった時点で払出機構障害時の処理を行なうようにしてもよい。
【００５１】
また、例えば、それまでの獲得遊技球数（賞球総数カウンタ７５の値）が、１００球記憶されていた場合には以下のような処理となる。次の基本賞球払出処理では２０個の賞球を払出す旨の払出駆動信号が払出制御部４５から払出装置４６に送信される。この場合、“払出数カウンタ”７６には２０の値がセットされる。そして、払出モータ６０が駆動される毎に“払出モータの動作回数カウンタ”７７のカウント値がデクリメントされ、そのカウント値が２０まで達すると払出モータの駆動が停止される。１回の基本賞球払出処理が終了すると、“払出モータの動作回数カウンタ”７７の減算数（ここでは払い出すべき払出球である２０カウント）と払出計数スイッチ３２によって検出された実際の払出球数とが対比され、その数に差が生じた場合には、その差の球数分が“不足カウンタ”７８に累積加算される。その累積球数が２０個に達していなければ、次の基本賞球払出処理が継続される。そして、累積球数が２０個に達した時点で払出機構障害時の処理が行なわれる。繰り返し行なわれる基本賞球払出処理の中で不足球なく正常な払出処理が行なわれた場合、その時点で“不足カウンタ”７８の累積球数が０（ゼロ）にクリアさせる点は同様である。
【００５２】
次に、払出機構障害時の処理で行なわれる“エラー時払出処理”について説明する。図９は、エラー時払出処理のタイミングチャートの一形態を示す。
エラー時の払出処理では、払出し個数の１単位の数として、予め定められた球数が設定される。この球数は、エラー状態が継続して払出機構障害時の処理が繰り返された場合にも、払出され得る球の数を少なくするため、予め定められた所定の賞球払出数（上述した、例えば２０個）よりも少ない球数に設定される。そして、その設定された球数が賞球総数カウンタ７５のカウント値以下の数であれば、設定された球数が“払出数カウンタ”７６及び“払出モータの動作回数カウンタ”７７にカウント値として設定される。一方、設定された球数が賞球総数カウンタ７５のカウント値よりも大きい数であれば、賞球総数カウンタ７５のカウント値が“払出数カウンタ”７６及び“払出モータの動作回数カウンタ”７７にカウント値として設定される。
【００５３】
これにより、この払出数カウンタ７６のカウント値に応じた払出駆動信号に基づく賞球の払い出し処理が行なわれる。この形態では、Ｎ＝２個が予め定められた所定の払出し球数として“払出数カウンタ”７６及び“払出モータの動作回数カウンタ”７７に設定される。但し、その時点で獲得遊技球数が１個しか記憶されていない場合には、“払出モータの動作回数カウンタ”７７には１個が設定される。そして、払出モータ６０が１ステップ５ｍｓｅｃの速度で正転方向に駆動され、賞球払出処理が行なわれる。払出モータ位置検出スイッチのオフからオンのエッジをＮ回（図９では２回）検出した後に、その時のモータの励磁状態を所定時間（例えば、３００ｍｓｅｃ）保持する。
【００５４】
この形態の払出装置４６は、図示は（図３では）省略されているが、スプロケット２９を並設して２個備え、又、そのスプロケットに球を誘導する通路をそれぞれ有するもの、即ち、２個の通路を備えた形態のものである。そして、２個のスプロケットの周面に設けられた凹部３０の互いの位置が、球を送出する方向に対して対向する同じ位置ではなく、ずれた位置に設けられ、１個の払出装置から２個のスプロケットが交互に球を払い出す構成となる。このような構成の場合、Ｎ＝２個を設定し、スプロケットの数、又は球の誘導通路の数に対応する、最低２個の球の払い出し（それぞれのスプロケットで少なくとも１個の球の払い出し）動作を行ない、その払い出しによって正常な払い出しが行なわれた場合には払出装置の機構には障害がないと判断している。このような処理を行なうことによって球の払出速度を高めている。但し、球の払出個数は、払出装置の形態、即ち、スプロケットの数、又は球の誘導通路の数に対応するものであればよい。つまり、スプロケット及び通路の数が１個の払出装置であれば、Ｎ＝１個が、また、スプロケット及び通路の数が３個の払出装置であれば、Ｎ＝３個が予め定められた所定の払出し個数として“払出数カウンタ”７６及び“払出モータの動作回数カウンタ”７７に設定され、最低その個数の球の払い出しが行なわれればよい。
【００５５】
１回の賞球払出処理を行ない、払い出し不足球が発生した場合、即ち、“払出モータの動作回数カウンタ”７７の減算数と払出計数スイッチ３２によって検出された払出球数とに差が生じた場合には、エラーが継続している状態であると判断し、払出機構障害時の処理（５ｓｅｃの停止時間後エラー時払出処理）を繰り返す。一方、払い出し不足球が発生していない場合には、払出しの機構的には障害がない、即ち、エラー状態は解消していると判断し、励磁保持時間の経過後に基本賞球払出処理に移行する。尚、エラー時払出処理で、払出し個数の１単位である所定数をＮ＝２個とすることにより、エラー状態が継続して払出機構障害時の処理が繰り返された場合にも、払出され得る球数をできる限り少なくすることができる。
【００５６】
これにより、“不足カウンタ”７８の累積球数が２０個に達して一旦は払出処理にエラーが発生したと判断された場合であっても、その判断後に行なわれる払出機構障害時の処理で正常な払出しが行なわれれば、その時点で基本賞球払出処理に復帰するので、賞球の払出不足が生じた時でもその不足払出が一時的なものであれば、より早く通常の払出処理に復帰でき、払出不足時における払出速度の低下を防ぐことができる。図９に示す形態は、エラー時払出処理において正常な払出が行なわれた場合を示している。即ち、Ｎ＝２に設定され２回の払出モータ６０の動作に対して、払出モータ位置検出スイッチ６１により２回のオンエッジが検出され、払出計数スイッチ３２によって２個の払出球の検出が行なわれている。従って、この場合、払出しの機構的には障害がない、即ち、エラー状態は解消していると判断され、励磁保持時間８２の経過後に基本賞球払出処理が開始される。
【００５７】
（ii）スリットエラー処理、
図１０は、スリットエラー時の処理のタイミングチャートの一形態を示す。基本賞球払出処理を行ない、払出モータの回転中に、払出モータ位置検出スイッチ６１のオフからオンのエッジが４８ステップ間（１個の球を払出す為の払出モータのステップ数は３２ステップ、払出モータの１周は6×32＝192ステップ）、確認できなかった場合には、払出処理にエラーが発生したと判断してスリットエラーの処理を開始する。図１０に示す破線のパルス８３は、通常状態であれば検出されるパルスを示す。前述したように、基本賞球払出処理における払出モータの駆動速度は、例えば、１ステップ２.５００ｍｓｅｃあるいは１ステップ１.２５０ｍｓｅｃに設定される（図７参照）。従って、この場合の４８ステップとは、１２０ｍｓｅｃあるいは６０ｍｓｅｃになる。
【００５８】
スリットエラー処理では、先ず、その時点での払出モータの励磁状態が３００ｍｓｅｃ保持される。３００ｍｓｅｃ経過後、１ステップ５ｍｓｅｃの速度で払出モータが逆転方向に４ステップ駆動され、次にその逆転駆動の励磁状態が３００ｍｓｅｃ保持される。この逆転方向駆動により、例えば、賞球の球噛み等を解除することができる。そして、払出モータが５００ｍｓｅｃ間、停止された後、上述したエラー時の払出処理が行なわれる。エラー時払出処理において、払出モータ位置検出スイッチ６１のオフからオンのエッジ８４が検出された場合には、その時点でエラー状態が解消したと判断されエラー復帰となり、そのエラー時払出処理の終了後、基本賞球払出処理が行なわれる。図１０は、オンエッジ８４が示されるように、エラー状態が解消したときのタイミングチャートを表わしている。
【００５９】
尚、エラー時払出処理において、払出モータ位置検出スイッチ６１のオフからオンのエッジが４８ステップ間、確認できなかった場合は、スリットエラー処理を繰り返す。但し、スリットエラー処理を３回繰返しても払出モータ位置検出スイッチのオフからオンのエッジが検出できなかった場合には、以下に示すモータエラー時の処理に移行する。
【００６０】
（iii）モータエラー処理、
図１１は、モータエラー時の処理のタイミングチャートの一形態を示す。モータエラー処理は、基本的にはスリットエラー処理と同様の処理である。先ず、その時点での払出モータの励磁状態が３００ｍｓｅｃ保持された後、１ステップ５ｍｓｅｃの速度で払出モータが逆転方向に４ステップ駆動され、続いてその逆転駆動の励磁状態が３００ｍｓｅｃ保持される。そして、次に、モータエラー処理では、払出モータが５ｓｅｃ間、停止された後、上述したエラー時の払出処理が行なわれる。
【００６１】
エラー時払出処理では、払出モータ位置検出スイッチ６１のオフからオンのエッジ８５が検出された場合には、その時点でエラー状態が解消したと判断されエラー復帰となり、そのエラー時払出処理の終了後、基本賞球払出処理が行なわれる。図１１は、オンエッジ８５が示されるように、エラー状態が解消したときのタイミングチャートを表わしている。一方、エラー時払出処理において、払出モータ位置検出スイッチ６１のオフからオンのエッジが４８ステップ間、確認できなかった場合は、モータエラー処理を繰り返す。
【００６２】
（４）払出動作の停止処理
払出制御部４５によって図１２に示す条件１から４の状態が確認された場合には、賞球の払出動作が停止される。条件１にいう払出路球切れ状態とは、賞球の払出路に設けられている払出路球切れスイッチのオフ期間、例えば、受入部２７（図３参照）を賞球が流動してこない期間が３００ｍｓｅｃ以上継続したときに発生する状態である。条件２にいう満タン状態とは、球皿部１３に設けられている満タンスイッチのオン期間、例えば、球皿部に払い出され貯留された賞球（遊技球）が満タンになった期間が２００ｍｓｅｃ以上継続したときに発生する状態である。条件３にいう払出計数スイッチ異常状態とは、図３に示す位置に設けられている払出計数スイッチ３２のオン期間、例えば、払出計数スイッチよりも下流の払出路に賞球が停留し流動しないでスイッチがオンしたままの期間が２００ｍｓｅｃ以上継続したときに発生する状態である。条件４にいう電源未投入状態とは、主制御部４０からの電源が投入された旨を示すコマンドが、払出制御部４５によって未受信のときに発生する状態である。
【００６３】
賞球の１単位Ｎ個分の払出動作、即ち、１回の基本賞球払出処理が開始されると、先ず、上記条件１から条件３の状態であるか否かに拘わらず、その１単位Ｎ個分の払出動作を完了するまで継続する。そして、１単位Ｎ個分の払出動作が完了した後は、上記条件１から条件４のいずれかの状態が成立していれば、新たな払出動作を行なわず賞球の払出動作を停止すると共に報知手段（例えば、状態表示灯の点灯、点滅等）によりエラー状態が発生している旨を報知する。尚、条件４の状態については、賞球の１単位Ｎ個分の払出動作中であってもその払出動作は停止される。しかし、電源未投入状態（コマンド未受信状態）であれば払出動作が開始されることはないので、条件４で払出動作が停止されるのは電源復帰時の場合のみとなる。
【００６４】
（５）払出動作の再開処理
払出動作の停止処理状態において、図１３に示す条件１から条件４の状態が全て成立した場合には、賞球の払出処理が再開される。条件１にいう払出路球切れ解除状態とは、払出路球切れスイッチのオン期間、例えば、受入部２７に貯留された賞球によって払出路球切れスイッチがオンされている期間が３００ｍｓｅｃ以上継続したときに発生する状態である。条件２にいう満タン解除状態とは、球皿部１３に設けられている満タンスイッチのオフ期間、例えば、満タンであった球皿部の賞球（遊技球）が満タンではない状態となりその期間が１ｓｅｃ以上継続したときに発生する状態である。条件３にいう払出計数スイッチ異常解除状態とは、図３に示す位置に設けられている払出計数スイッチ３２のオフ期間が３ｓｅｃ以上継続したときに発生する状態である。条件４にいう電源投入状態とは、主制御部４０からの電源が投入された旨を示すコマンドを払出制御部４５が受信したときに発生する状態である。
【００６５】
次に、球貸払出制御には、遊技球等貸出装置１６から信号を受信して１回の貸出分であるＮ個（例えば、２５個）の貸出球を払い出す基本球貸払出処理と、球貸しの払出リトライ処理と、主制御部４０から送信された各状態の設定による払出動作の停止処理と、払出動作の再開処理がある。
【００６６】
（１）基本球貸払出処理
図１４は、基本球貸払出処理のタイミングチャートの一形態を示す。この形態では、貸出球の払出しにおいて連続して払出される球数の一単位が、貸出球数の一単位に設定されている。例えば、貸出球数の一単位として、１００円に対し２５球の貸出球数が設定されている場合には、一単位の連続払出球数は２５球に設定される。球の貸出操作が行なわれて（１００円が投入されて）、遊技球等貸出装置１６からの貸出しを要求する信号を受信すると、払出し球数の一単位としての貸出球数（例えば、上記した２５球）が、払出制御部４５に設けられた“貸球総数カウンタ”７５に記憶されると共に、その貸球総数カウンタ７５と同じ球数が、同様に払出制御部４５に設けられている“払出数カウンタ”７６及び“払出モータの動作回数カウンタ”７７に設定される。
【００６７】
払出装置４６は、払出制御部４５を介して、遊技球等貸出装置１６からのカードユニットREADY信号（図５参照）及び台端末貸出要求完了確認信号のオンを受信すると、台端末貸出完了信号のオンを払出制御部４５を介して遊技球等貸出装置１６へ送信する。その後、払出制御部４５は、台端末貸出要求完了確認信号を受信すると、１ステップ２.５００ｍｓｅｃの速度で払出モータ６０を正転方向に駆動させる。払出モータ位置検出スイッチ６１の１回目のオフからオンのエッジを確認すると、今度は、払出モータ６０を１ステップ１.２５０ｍｓｅｃの速度で駆動させる。払出モータ位置検出スイッチ６１のオフからオンのエッジを初回を含めて２５回検出した後に、その時のモータの励磁状態を所定時間（例えば、３００ｍｓｅｃ）保持する。図１４に示す形態では、Ｎ＝２５に設定され、２５回のオンエッジが検出された後に、正転方向に駆動されている払出モータの励磁を保持、即ち、正転しようとしている払出モータの回転を強制的にロックし、停止させた状態にしている。この一連の制御が１単位の貸出球払い出し動作となる。
【００６８】
前述した賞球払出処理の場合と同様に、払出モータ６０によってスプロケット２９（図３）が駆動され、凹部３０収容されている払出球が１個ずつ送出される。また、払出モータ６０が駆動される毎に“払出モータの動作回数カウンタ”７７に設定されたカウント値が１カウントずつ減少する。スプロケット２９によって実際に送出された払出球は、払出計数スイッチ３２により検出される。従って、スプロケット２９により不足無く払出球が送出された場合には、払出モータの動作回数カウンタ７７の減少したカウント値数と、払出モータ位置検出スイッチ６１によって検出された数を示すオンエッジ数と、払出計数スイッチ３２によって検出された払出球数を示すオンエッジ数とは同数となる。不足無く正常に払出しが行なわれた場合には、払出制御部４５は、払出モータを停止させると共に、台端末貸出完了信号のオフを遊技球等貸出装置１６に送信する。
【００６９】
図１４では、不足無く正常に２５球の払出球が払い出されており、払出モータ位置検出スイッチ６１により検出された２５個のオンエッジに対応して、払出計数スイッチ３２によって２５個の払出球が検出されている。払出計数スイッチ３２によって２５球検出されたことにより“貸球総数カウンタ”７５のカウント値は２５カウント減少される。但し、連続して貸出し要求がある場合には、遊技球等貸出装置１６からの台端末貸出要求完了確認信号のオンを受信し、次の一連の１単位の球貸払い出し動作（Ｃ期間の処理）が繰り返される。貸出し要求がない場合には、遊技球等貸出装置からのカードユニットREADY信号のオフを受信し球貸払出処理を終了する。
【００７０】
この形態では上述したように、“貸球総数カウンタ”７５に記憶されている球数と同じ球数が、“払出数カウンタ”７６及び“払出モータの動作回数カウンタ”７７に設定される。つまり、貸出総数カウンタ７５に２５球の払出すべき貸球数が記憶されている場合には、２５球が払出数カウンタ７６及び払出モータの動作回数カウンタ７７に設定され、貸出総数カウンタ７５に３球の払出すべき貸球数が記憶されている場合には、その３球という球数がカウンタ７６、７７に設定される。但し、この形態では、貸球総数カウンタ７５に貸出球数の一単位よりも多い球数、例えば、１００円に対し２５球の貸出球数が設定されている場合には２５球よりも多い球数が記憶されることはないように設定されている。これは貸球の払出処理が１００円に対する貸出し、即ち、貸出球数の一単位毎に処理されるように制御されているからである。従って、例えば貸出操作で２００円投入（１００円玉が連続して２個投入）されたとしても、最初に投入された１００円に対する貸球の払出処理が終了しなければ、２個目に投入された１００円に対する貸球の払出処理は行われない。
【００７１】
貸出操作で２００円投入されたときの払出処理（基本球貸払出処理）の具体的な一形態を以下に示す。
１００円に対して２５球の貸球が払出されるように設定されていれば２００円の投入に対しては５０球の貸球が遊技者に払出されることになる。先ず、最初に投入された１００円に対する貸球２５球分の払出処理（基本球貸払出処理）を行なうために、貸球総数カウンタ７５に２５球の払出すべき貸球数が記憶されると共に、払出数カウンタ７６及び払出モータの動作回数カウンタ７７にも２５球が設定される。ここで、この貸球２５球分の払出処理において３球の払出不足が発生し、最初の１回の払出処理で２２球の貸球しか払出されなかったとする。この場合、最初に投入された１００円に対する２５球の払出処理が完了していないため、次に投入された１００円（２００円目）に対する払出処理はまだ行なわれず、最初に投入された１００円に対する不足貸出球である３球の払出処理（基本球貸払出処理）が行なわれる。従って、貸球総数カウンタ７５には払出すべき貸球数として３球が記憶され、払出数カウンタ７６及び払出モータの動作回数カウンタ７７にも貸球総数カウンタ７５と同じ球数である３球が設定される。次に投入された１００円に対する払出処理は、最初に投入された１００円に対する２５球の払出処理が完了するまでは開始されない。尚、後述するが、不足貸出球は“不足カウンタ”７８に加算される。
【００７２】
次に、貸出操作で２００円投入されたとき、即ち、１回で複数回分の貸出要求があったときの払出処理（基本球貸払出処理）の別の一形態を以下に示す。
この形態では、複数回分（ここでは２００円投入されて２回分の貸出要求があった場合とする）の貸球数（５０球）の払出処理が一度に行なわれるように制御される。従って、球の貸出操作が行なわれて（２００円が投入されて）、遊技球等貸出装置１６からの貸出しを要求する信号を受信すると、払出し球数の一単位としての貸出球数の２回分（５０球）が、“貸球総数カウンタ”７５に記憶される。但し、“払出数カウンタ”７６及び“払出モータの動作回数カウンタ”７７には、貸出球数の一単位よりも多い球数、例えば、１００円に対し２５球の貸出球数が設定されている場合には２５球よりも多い球数が設定されることはなく、この場合は２５球が設定される。即ち、払出時点において貸球総数カウンタ７５に記憶されている貸球数が２５球以下であれば、その記憶されているカウント値と同数の値がカウント値として（払出し球数の１単位として）“払出数カウンタ”７６及び“払出モータの動作回数カウンタ”７７に設定される。一方、貸球数が２５球を超えていれば、貸出球数の２５球が、払出し球数の１単位として設定される。
【００７３】
具体的には、１００円に対して２５球の貸球が払出されるように設定されていれば２００円の投入に対しては５０球の貸球が遊技者に払出されることになる。先ず、投入された２００円に対する貸球５０球分の払出処理（基本球貸払出処理）を行なうために、貸球総数カウンタ７５に５０球の払出すべき貸球数が記憶され、払出数カウンタ７６及び払出モータの動作回数カウンタ７７には、貸球総数カウンタ７５に記憶されている貸球数が２５球を超えているので、２５球が払出し球数の１単位として設定される。ここで、払出数カウンタ７６に応じた貸球２５球分の払出処理（基本球貸払出処理）において３球の払出不足が発生し、最初の１回の払出処理で２２球の貸球しか払出されなかったとする。この場合、貸球総数カウンタ７５の値は、５０球から払出された球数２２球を減算した２８球となる。この状態からさらに、投入された２００円に対する貸球５０球分の払出処理を行なうために、払出数カウンタ７６及び払出モータの動作回数カウンタ７７には、貸球総数カウンタ７５に記憶されている貸球数が２５球を超えているので、再度、２５球が払出し球数の１単位として設定される。また、ここで、払出数カウンタ７６に応じた貸球２５球分の払出処理において３球の払出不足が発生し、最初の１回の払出処理で２２球の貸球しか払出されなかったとする。この場合、貸球総数カウンタ７５の値は、２８球から払出された球数２２球を減算した６球となる。この状態からさらに、投入された２００円に対する貸球５０球分の払出処理を行なうために、払出数カウンタ７６及び払出モータの動作回数カウンタ７７には、貸球総数カウンタ７５に記憶されている貸球数が２５球以下であるので、貸球総数カウンタ７５に記憶されているカウント値の６球が払出し球数の１単位として設定される。そして、不足貸出球であった６球の払出処理（基本球貸払出処理）が行なわれる。
【００７４】
（２）球貸しの払出リトライ処理
球貸しの払出リトライ処理は、異常払出処理が発生したときに行なわれる処理であり、前述した賞球の払出処理における賞球の払出リトライ処理と同様の処理内容である。その概要は、（i）１単位の球貸払い出し動作を行なっても、払出計数スイッチ３２による検出数が正常でなく（不足払出数が発生し）、その不足個数を加算した累計が予め定められた所定数（例えば、２０個）以上になった場合に行なう払出機構障害時の処理、（ii）払出モータ６０の回転中に、払出モータ位置検出スイッチ６１のオフからオンのエッジが４８ステップ間、確認できなかった場合に行なうスリットエラー処理、（iii）前記スリットエラー処理を行なってもスリット復帰しなかった場合に行なうモータエラー時の処理であり、賞球の払出リトライ処理と同様に図８〜図１１に基づいて説明される。
【００７５】
（i）払出機構障害時の処理
図８は、払出機構障害時の処理のタイミングチャートの一形態を示す。１単位の貸球払い出し動作（基本賞球払出処理）を行ない、払い出し不足球が発生した場合、即ち、“払出モータの動作回数カウンタ”７７のカウント数と払出計数スイッチ３２によって検出された払出球数とに差が生じた場合には、その不足分の球数が、払出制御部４５に設けられている“不足カウンタ”７８に加算されていく。そして、その累積加算球数が所定数（例えば、２０個）に達すると、基本貸球払出処理（Ｂ期間の処理）の終了後に、５ｓｅｃの停止時間が確保され、その後にエラー時払出処理が開始される“払出機構障害時の処理”が行なわれる。但し、このエラー時払出処理においてその払出しが正常に行なわれた（不足球なく払出された）と確認された場合には、払出装置に機構的な障害はないと判別され、その後、通常の払出しに戻って基本貸球払出処理が再開される。尚、エラー時払出処理において正常な払出しが確認できなかった場合には、再度、５ｓｅｃの停止時間が確保された後にエラー時払出処理（“払出機構障害時の処理”）が繰り返される。これにより、貸球（払い出し）不足に伴うエラー処理回数を減らし、且つ、不足分の貸球の払い出しを確実に行なうことができる。
【００７６】
図８に示す基本貸球払出処理（Ｂ期間の処理）では、払出モータ位置検出スイッチ６１によって２回のオンエッジが検出されているため、２個の貸球を払出す旨の払出駆動信号が払出制御部４５から払出装置４６に送信されている。この場合、“払出数カウンタ”７６には２の値がセットされる。払出モータ６０が駆動される毎に“払出モータの動作回数カウンタ”７７のカウント値がデクリメントされ、払出計数スイッチ３２が払出球を検出する毎に“払出数カウンタ”７６のカウント値がデクリメントされる。そして、“払出モータの動作回数カウンタ”７７のカウント値が０まで達すると払出モータの駆動が停止し、払出処理が終了する。１回の基本貸球払出処理が終了すると、“払出モータの動作回数カウンタ”７７の減算数（ここでは払い出すべき払出球である２カウント）と払出計数スイッチ３２によって検出された実際の払出球数（“払出数カウンタ”７６のカウント値の変化）とが対比され、その数に差が生じた場合には、その差の球数分が“不足カウンタ”７８に累積加算される。
【００７７】
尚、払出数カウンタ７６のカウント値の変化をインクリメントさせるようにしてもよい点に関しては賞球の場合と同じである。
【００７８】
図８では、払出モータ６０の動作回数が２回であるため、正常の払出処理が行なわれた場合には、払出計数スイッチ３２によって２個の払出球の検出が行なわれなければならない。しかしながら、その払出されるべき２個の貸球のオンエッジ（破線で示すパルス８０、８１のオンエッジ）は検出されていない。従って、この場合その差の球数分である２球が不足球数として“不足カウンタ”７８に加算される。不足球数の加算は、定められたある初期値（例えば、“０”）に対して累積されていく。そして、この加算後の累積球数が２０個に達したとき図に示すように、５ｓｅｃの停止時間が確保された後にエラー時払出処理（“払出機構障害時の処理”）が行なわれる。
【００７９】
但し、加算後の累積球数が２０個に達していないときは、払出機構障害時の処理は行なわれず、次の基本貸球払出処理が引き続き行なわれる。次の基本貸球払出処理では、今回の基本貸球払出処理（ここでは図８に示す処理）と同様に、貸球数として“貸球総数カウンタ”７５に記憶されている２球が、払出球数として“払出数カウンタ”７６にセットされる。そして、次の基本貸球払出処理においても払出不足球数が発生した場合には、その球数分が“不足カウンタ”７８に加算される。これは新たな貸出しの要求がされているとき（次の１００円が投入されたとき）でも同様であり、先にされた貸出要求に対する払出し（１００円投入に対する２５球の払出し）が完了していない場合には、次の貸出要求に対する払出処理は行なわれず（次の１００円投入に対する２５球は貸球総数カウンタには記憶されず）、先の払出しにおける払出不足球数の基本貸球払出処理が行なわれる。今回の基本貸球払出処理（ここでは図８に示す処理）で２球が不足球数として“不足カウンタ”７８に加算されているので、今回の基本貸球払出処理までの“不足カウンタ”７８の値が、例えば、２球であったとすれば、次の基本貸球払出処理における払出不足球数（例えば、また２球の払出不足球数があったとすればその２球）が加算され“不足カウンタ”７８の値は４球となる。尚、先の貸出要求に対する払出処理が完了していなくても次の貸出要求を受け付ける形態（段落［００７２］から［００７３］）の場合にも、“不足カウンタ”の加算処理は同様に行なわれる。
【００８０】
上記のように、加算後の累積球数が２０個に達しない限りは基本貸球払出処理が繰り返される。そして、累積球数が２０個に達した時点で払出機構障害時の処理が行なわれる。もっとも、繰り返し行なわれる基本貸球払出処理の中で不足球なく正常な払出処理が行なわれた場合、即ち、払出制御部４５から送信された払出駆動信号の球数を不足なく払出装置４６によって払い出された場合には、その時点で払出装置の機構に障害はないと判断され、それまで記憶されていた“不足カウンタ”７８の累積球数は、初期値にセット（例えば、０（ゼロ）にクリア）される。これにより、貸球（払い出し）不足に伴うエラー処理回数を減らし、且つ、不足分の貸球の払い出しを確実に行なうことができる。尚、不足球数の累積は、初期値に対して加算される手段に限定されるものではなく、例えば、初期値を“２０”として、生じた不足球数をその初期値から順次減算して行き、その累積が２０個に達した時点、即ち、“０”になった時点で払出機構障害時の処理を行なうようにしてもよい。
【００８１】
払出機構障害時の処理が行なわれる不足カウンタの累積球数「２０」は、前述した賞球払出処理において払出機構障害時の処理が行なわれる不足カウンタの累積球数と同じ値に設定されており、この値は、払出装置１６から連続して払い出される賞球の一単位の（１回分の）最大払出球数となっている。このように貸出球の払出しと賞球の払出しで同じ値（２０球）に設定することにより、払出制御部４５に設ける不足カウンタを貸出球の払出しと賞球の払出しとで共通化することができる。
【００８２】
払出機構障害時の処理が行なわれる不足カウンタの累積球数は、上述した形態に限定されるものではなく、例えば、貸出球の払出処理において、１回の払い出し処理で２５球の払出不足球が発生した場合（貸出球の一単位の連続払出球数のうち１球も払出すことができなかった場合）、直ちに払出機構に障害が発生したと判断し、機構障害発生の判断期間をむやみに引き伸ばさないように、貸出球の不足累積球数を“２５球”、即ち、貸出球の一単位の連続払出球数と同じ球数に設定し、賞球の不足累積球数も同じ値“２５球”に設定するようにしてもよい。この場合にも払出制御部４５に設ける不足カウンタを貸出球の払出しと賞球の払出しとで共通化することができる。
【００８３】
また、払出機構障害時の処理が行なわれる不足カウンタの累積球数を、貸出球の払出しの場合は貸出球の一単位の連続払出球数と同じ球数（２５球）に設定し、賞球の払出しの場合は連続して払い出される一単位の最大払出球数（２０球）に設定するようにしてもよい。このように設定することにより、貸出球の払出処理の場合には、１回の払い出し処理において２５球の払出不足球が発生した場合（貸出球の一単位の連続払出球数のうち１球も払出すことができなかった場合）には、直ちに払出機構障害が発生したと判断されるので、機構障害発生の判断期間がむやみに引き伸ばされることはない。賞球の払出処理の場合には、１回の払い出し処理において２０球の払出不足球が発生した場合（連続して払い出される賞球数が最大払出球数に設定され、その払出処理で１球も払出すことができなかった場合）には、直ちに払出機構障害が発生したと判断されるので、機構障害発生の判断期間がむやみに引き伸ばされることはない。
【００８４】
さらに、賞球の払出処理において連続して払い出される一単位の（１回分の）最大払出球数を２５球に設定し、即ち、貸出球における一単位の連続払出球数と同じ球数に設定し、その２５球を、貸出球の払出しと賞球の払出しにおける払出機構障害時の処理が行なわれる不足カウンタの累積球数として設定するようにしてもよい。この場合にも払出制御部４５に設ける不足カウンタを貸出球の払出しと賞球の払出しとで共通化することができる。また、貸出球の払出処理と賞球の払出処理において、１回の払い出し処理で２５球の払出不足球が発生した場合（連続して払い出される賞球数が最大払出球数に設定され、その払出処理で１球も払出すことができなかった場合と、貸出球の一単位の連続払出球数のうち１球も払出すことができなかった場合）には、直ちに払出機構障害が発生したと判断されるので、機構障害発生の判断期間がむやみに引き伸ばされることはない。
【００８５】
次に、払出機構障害時の処理で行なわれる“エラー時払出処理”について説明する。図９は、エラー時払出処理のタイミングチャートの一形態を示す。
エラー時の払出処理では、払出し個数の１単位の数として、予め定められた球数が設定される。この球数は、エラー状態が継続して払出機構障害時の処理が繰り返された場合にも、払出され得る球の数を少なくするため、予め定められた所定の貸出球数（例えば、上述した１００円に対する２５球）よりも少ない球数に設定される。そして、その設定された球数が貸球総数カウンタ７５のカウント値以下の数であれば、設定された球数が“払出数カウンタ”７６及び“払出モータの動作回数カウンタ”７７にカウント値として設定される。一方、設定された球数が貸球総数カウンタ７５のカウント値よりも大きい数であれば、貸球総数カウンタ７５のカウント値が“払出数カウンタ”７６及び“払出モータの動作回数カウンタ”７７にカウント値として設定される。
【００８６】
これにより、この払出数カウンタ７６のカウント値に応じた払出駆動信号に基づく貸球の払い出し処理が行なわれる。この形態では、Ｎ＝２個が予め定められた所定の払出し球数として“払出数カウンタ”７６及び“払出モータの動作回数カウンタ”７７に設定される。但し、その時点で貸球数が１個しか記憶されていない場合には、“払出モータの動作回数カウンタ”７７には１個が設定される。そして、払出モータ６０が１ステップ５ｍｓｅｃの速度で正転方向に駆動され、貸球払出処理が行なわれる。払出モータ位置検出スイッチのオフからオンのエッジをＮ回（図９では２回）検出した後に、その時のモータの励磁状態を所定時間（例えば、３００ｍｓｅｃ）保持する。尚、払出装置４６が備えるスプロケット２９の形態等については、上述した賞球払出におけるものと同じである。
【００８７】
１回の賞球払出処理を行ない、払い出し不足球が発生した場合、即ち、“払出モータの動作回数カウンタ”７７の減算数と払出計数スイッチ３２によって検出された払出球数とに差が生じた場合には、エラーが継続している状態であると判断し、払出機構障害時の処理（５ｓｅｃの停止時間後エラー時払出処理）を繰り返す。一方、払い出し不足球が発生していない場合には、払出しの機構的には障害がない、即ち、エラー状態は解消していると判断し、励磁保持時間の経過後に基本貸球払出処理に移行する。尚、エラー時払出処理で、払出し個数の１単位である所定数をＮ＝２個とすることにより、エラー状態が継続して払出機構障害時の処理が繰り返された場合にも、払出され得る球数をできる限り少なくすることができる。
【００８８】
これにより、“不足カウンタ”７８の累積球数が２０個に達して一旦は払出処理にエラーが発生したと判断された場合であっても、その判断後に行なわれる払出機構障害時の処理で正常な払出しが行なわれれば、その時点で基本貸球払出処理に復帰するので、貸球の払出不足が生じた時でもその不足払出しが一時的なものであれば、より早く通常の払出処理に復帰でき、払出不足時における払出速度の低下を防ぐことができる。図９に示す形態は、エラー時払出処理において正常な払出が行なわれた場合を示している。即ち、Ｎ＝２に設定され２回の払出モータ６０の動作に対して、払出モータ位置検出スイッチ６１により２回のオンエッジが検出され、払出計数スイッチ３２によって２個の払出球の検出が行なわれている。従って、この場合、払出しの機構的には障害がない、即ち、エラー状態は解消していると判断され、励磁保持時間８２の経過後に基本貸球払出処理が開始される。
【００８９】
スリットエラー処理、モータエラー処理については、賞球払出しのそれらの処理と同様であるので省略する。
【００９０】
（３）払出動作の停止処理
払出制御部４５によって図１５に示す条件１から７の状態が確認された場合には、球貸しの払出動作が停止される。条件１から条件４にいう状態とは、前記賞球の払出動作で説明した状態（図１２の条件１から条件４にいう状態）と同様である。条件５にいう払出ケース異常状態とは、払出機構障害が発生している状態、即ち、賞球の１単位Ｎ個分の払出動作を行ない、払出計数スイッチによって計数された不足払出個数の累計が、例えば２０個以上になった場合に行なわれる処理が継続している状態である。条件６にいう払出モータ異常状態とは、払出モータエラーが発生している状態、即ち、スリットエラーの処理を行なってもスリット復帰しなかった場合に行なわれる処理（モータエラー時の処理）が継続している状態である。条件７にいう賞球払出残数有り状態とは、未だ払い出されるべき賞球が残っている状態、例えば、何らかのエラー状態が発生して賞球の払出が停止し未払出賞球が残っている状態である。
【００９１】
貸出球の１単位２５個分の払出動作、即ち、１回の基本球貸払出処理が開始されると、先ず、上記条件１から条件３及び条件５から条件７の状態であるか否かに拘わらず、その１単位２５個分の払出動作を完了するまで継続する。そして、１単位２５個分の払出動作が完了した後は、上記条件１から条件７のいずれかの状態が成立していれば、新たな払出動作を行なわず球貸しの払出動作を停止する。尚、条件４の状態については、貸出球の１単位２５個分の払出動作中であってもその払出動作は停止される。しかし、電源未投入状態（コマンド未受信状態）であれば払出動作が開始されることはないので、条件４で払出動作が停止されるのは電源復帰時の場合のみとなる。
【００９２】
（４）払出動作の再開処理
払出動作の停止処理状態において、図１６に示す条件１から条件７の状態が全て成立した場合には、賞球の払出処理が再開される。条件１から条件４にいう状態とは、前記賞球の払出動作で説明した状態（図１３の条件１から条件４にいう状態）と同様である。条件５にいう払出ケース正常状態とは、払出機構障害時の処理において、正常な払出処理が確認でき払出機構障害状態が解除され状態である。条件６にいう払出モータ正常状態とは、モータエラー時の処理において、正常な払出処理が確認でき払出モータエラー状態が解除された状態である。条件７にいう賞球払出残数無し状態とは、例えば、エラー状態が解消して賞球が払い出され未払出賞球が残っていない状態である。
【００９３】
図１７から図２８は、本発明に係るパチンコ機の制御内容を示すフローチャートである。
図１７は、払出制御部４５におけるメイン処理を示すフローチャートである。
パチンコ機に電源が投入されると、スタックポインタの設定（ステップ９０）、割込みモードの設定（ステップ９１）、ＲＡＭアクセス許可（ステップ９２）、内蔵デバイスレジスタの設定（ステップ９３）、電源投入時のウエイト処理（ステップ９４）等の各種初期設定が行なわれる。また、ステップ９５においてＲＡＭクリアスイッチの状態が判別され、オン状態であればステップ９８に進みＲＡＭ領域が全クリアされる。一方、ＲＡＭクリアスイッチがオフ状態であればステップ９６に進み電源断発生の情報は有効であるか否かの判別が行なわれる。電源断発生情報が有効でないと判別された場合にはステップ９８に進みＲＡＭ領域が全クリアされる。
【００９４】
一方、有効であると判別された場合にはステップ９７に進みチェックサムは正常か否かの判別が行なわれる。チェックサムが正常でないと判別された場合にはステップ９８に進みＲＡＭ領域が全クリアされる。一方、正常であると判別された場合にはステップ１０１に進み復帰時のデータをＲＡＭに初期設定し、ステップ１００に進む。ステップ９８でＲＡＭの全クリアが行なわれるとステップ９９に進み電源初期投入時のデータがＲＡＭに初期設定し、ステップ１００に進む。ステップ１００においてカウンタタイマの割込み（１.２５ｍｓｅｃ）初期設定が行なわれた後、出力処理（ステップ１０２）、入力処理（ステップ１０３）、タイマ処理（ステップ１０４）、コマンド処理（ステップ１０５）、カードユニット処理（ステップ１０６）、払出処理（ステップ１０７）、計数処理（ステップ１０８）、情報出力設定処理（ステップ１０９）、電断処理（ステップ１１０）の各サブルーチン処理が順次行なわれる。
【００９５】
図１８に出力処理のフローチャートを示す。出力処理では、ステップ１１１において、各出力バッファを該当する出力ポートにセットする。例えば、モータの出力バッファをモータデータ出力ポートに出力する。次に、図１９に入力処理のフローチャートを示す。入力処理では、スイッチの入力状態を検出している。ステップ１１２において、払出計数スイッチ３２のオン／オフの状態を検出している。払出計数スイッチがオン、即ち、Highレベル状態のときは、ステップ１１３に進み、払出計数スイッチＨ時間カウンタを“１”加算してステップ１１５に進む。一方、払出計数スイッチがオフ、即ち、Lowレベル状態のときは、ステップ１１４に進み、払出計数スイッチＨ時間カウンタをクリアしてステップ１１５に進む。
【００９６】
タイマカウンタの割込み設定により、入力処理（ステップ１０２）は１.２５ｍｓｅｃ毎に行なわれるので、払出計数スイッチＨ時間カウンタがクリアされず（ステップ１１４に進まず）、例えば、少なくとも“２”まで加算される（ステップ１１３に進んでいく）ためには、払出計数スイッチが１.２５ｍｓｅｃ以上High状態になっていなければならない。この“２”とは後述する計数処理（ステップ１０８）の中で設定される値であるが、“２”と設定することにより払出計数スイッチを通過する払出球を確実にカウントすることができる。即ち、払出球が払出計数スイッチを通過した場合、少なくとも１.２５ｍｓｅｃ以上は払出計数スイッチがHigh状態になりその通過を確実にカウントすることができる。また、ノイズ等による短い期間の払出計数スイッチのオンを排除することができる。
【００９７】
続いて、ステップ１１５において、払出モータ位置検出スイッチ６１のオン／オフの状態を検出している。払出モータ位置検出スイッチがオン、即ち、Highレベル状態のときは、ステップ１１６に進み、スリットＨ時間カウンタを“１”加算してメインルーチン（図１７）に戻る。一方、払出モータ位置検出スイッチがオフ、即ち、Lowレベル状態のときは、ステップ１１７に進み、スリットＨ時間カウンタをクリアしてメインルーチン（図１７）に戻る。払出モータ位置検出スイッチ６１の場合も前記払出計数スイッチ３２と同様に確実な検出、この場合には確実な払出モータの回転を検出することができる。
【００９８】
図１７に戻り、ステップ１０４のタイマ処理において、各タイマの時間設定あるいは設定した時間のカウント処理を行なっている。次に、ステップ１０５のコマンド処理において、主制御部４０からのコマンドを受信している場合には、そのコマンド内容の解析処理を行なう。例えば、獲得遊技球のコマンドを受信している場合には、その獲得遊技球数が賞球総数カウンタ７５に加算処理される。続いて、ステップ１０６のカードユニット処理において、貸出装置１６から貸出球の要求があった場合には、その貸出処理が行なわれる。
【００９９】
図２０に払出処理のフローチャートを示す。払出処理では、払出動作処理（ステップ１２０）と、払出開始処理（ステップ１２１）と、励磁処理（ステップ１２２）の処理が行なわれている。図２１に払出動作処理のフローチャートを示す。ステップ１２５において、モータ処理モードの設定値の判別を行なう。ステップ１２５において、モータ処理モードが“００H”に設定されていれば、払出処理（図２０）に戻りステップ１２１の払出開始処理（図２２の処理）が行なわれる。一方、モータ処理モードが“００H”でなければステップ１２６に進み設定されているモータ処理モードに応じた処理を行なう。具体的には、モータ処理モードが“０１H”であれば通常駆動処理（図２４の処理）が行なわれ、“０２H”であればエラー時駆動処理（図２５の処理）が行なわれ、“０３H”であればウエイト処理（図２６の処理）、“０４H”であればエラー時ウエイト処理（図２７の処理）が行なわれる。
【０１００】
図２２に払出開始処理のフローチャートを示す。払出開始処理では、ステップ１３０において、モータ処理モードが“００H”以外のモードであるか否かの判別が行なわれ、“００H”以外、即ち、いずれかの処理が行なわれモータが駆動している（払出動作中である）場合には、払出処理（図２０）に戻りステップ１２２の励磁処理（図２３の処理）が行なわれる。一方、処理モードが“００H”である（モータが動作していない）場合にはステップ１４５に進み、貸出球カウンタが“００Ｈ”であるか否か、即ち、貸球の払出残数がＲＡＭに格納されている否かの判別が行なわれる。貸出球カウンタが“００Ｈ”ではないと判別された場合には、ステップ１４６において賞球中フラグに“００Ｈ”、即ち、現在の払出しが貸出中であることを示す値がセットされた後、ステップ１４７で個数切り値として貸出球カウンタの値がセットされ、ステップ１３５に進む。一方、貸出球カウンタが“００Ｈ”であると判別された場合には、ステップ１３１に進み、賞球カウンタの設定値が“００H”か、即ち、賞球総数カウンタ値（獲得遊技球数）がゼロ（“０”）であるか否かの判別が行なわれる。獲得遊技球数がゼロの場合には払出処理（図２０）に戻りステップ１２２の励磁処理（図２３の処理）が行なわれる。一方、獲得遊技球数がゼロでない場合には、ステップ１４８において賞球中フラグに“０１Ｈ”、即ち、現在の払出しが賞球中であることを示す値がセットされた後、ステップ１３２に進み、個数切り値、即ち、賞球の払出し個数の１単位としての所定数Ｎ個が２０にセットされる。
【０１０１】
続いて、ステップ１３３に進み、獲得遊技球数が２０球以上であるか否かの判別が行なわれ、２０球以上でないと判別された場合にはステップ１３４において、その２０球未満の獲得遊技球数を個数切り値にセットしステップ１３５に進む。一方、獲得遊技球数が２０球以上であると判別された場合にはそのままステップ１３５に進む。次に、ステップ１３５において、セットされた個数切り値が３未満か否かの判別が行なわれ、３未満ではないと判別された場合にはステップ１３７に進み、個数切り値として“２”がセットされステップ１３８に進む。一方、３未満であると判別された場合には、そのままステップ１３８に進む。
【０１０２】
ステップ１３８において、個数切り値を個数切りカウンタ、即ち、“払出モータの動作回数カウンタ”７７にセットする。このカウンタにセットされた個数切り値は、払出モータ位置検出スイッチ６１によって検出された払出モータの駆動回数に基づいて減算される。続いて、ステップ１３９において、個数切り値を払出残数カウンタ、即ち、“払出数カウンタ”７６にセットする。このカウンタにセットされた個数切り値は、払出計数スイッチ３２によって検出された払出球数に基づいて減算される。
【０１０３】
次に、ステップ１４０において、モータ処理モード値として“１”（通常駆動処理モード）をセットする。ステップ１４１に進み、払出機構エラーフラグが“００H”であるか、即ち、払出機構にエラーが発生していないかの判別が行なわれる。エラーが発生していないと判別された場合には、ステップ１４２に進み、スローフラグに“０１H”がセーブされる。これにより、通常駆動処理（基本賞球払出処理）時の１回目の払出モータの回転ステップ速度がスローステップ（図７の１ステップ２.５００ｍｓｅｃ）になる。一方、ステップ１４１で払出機構にエラーが発生していると判別された場合には、ステップ１４３に進みモータ処理モード値として“２”（エラー時駆動処理）をセットする。続いて、ステップ１４４に進み、セットされたモード値をモータ処理モードにセーブし払出処理（図２０）の励磁処理（ステップ１２２）に戻る。
【０１０４】
図２３に励磁処理のフローチャートを示す。励磁処理はモータの励磁制御を行なうための励磁パターン設定処理であり、ステップ１５０において、励磁パターン値として無励磁状態を示す“０”をセットする。続いて、ステップ１５１においてモータ処理モードが“００H”（払出動作中以外）であるか否かの判別が行なわれ、“００H”であると判別された場合にはステップ１５４に進み、励磁パターン値をモータ出力バッファにセーブする。一方、ステップ１５１で“００H”ではないと判別された場合には、ステップ１５２に進みモータ処理モードが“０４H”以上であるか否かの判別が行なわれる。“０４H”以上であると判別された場合には、ステップ１５４に進み励磁パターン値をモータ出力バッファにセーブする。一方、“０４H”以上ではないと判別された場合には、ステップ１５３に進み励磁パターンポインタに対応した励磁パターンデータを選択し、励磁パターン値としてセットし、続いて、ステップ１５４に進み励磁パターン値をモータ出力バッファにセーブする。
【０１０５】
図２４から図２７は、各モータ処理モードのフローチャートである。図２４に示す通常駆動処理では、ステップ１６０において、判定値として“２”をセットする。この判定値とは払出モータ位置検出スイッチ６１をどのような状態でオンとするかを判定する値である。タイマカウンタの割込み設定により、通常駆動処理（ステップ１２６）は１.２５０ｍｓｅｃ毎に行なわれるので、判定値を２にセットすることによって、２回（設定値の回数）の通常駆動処理が開始される期間、払出モータ位置検出スイッチがオン状態であれば１回の検出と判断されカウントされる。
【０１０６】
ステップ１６１においてスローフラグが“０１H”であるか否か、即ち、払出モータのステップが１ステップ２.５００ｍｓｅｃに設定されているか否かの判別が行なわれる。スローフラグが立っていると判別された場合には、ステップ１６２に進み判定値として“４”をセットしステップ１６３に進む。判定値を４にセットすることによって、４回の通常駆動処理が開始される期間、払出モータ位置検出スイッチがオン状態であれば１回の検出と判断されカウントされることになる。一方、スローフラグが立っていない場合には、そのままステップ１６３に進む。
【０１０７】
ステップ１６３において、スリットＨ時間カウンタ（図１９）の値、即ち、払出モータ位置検出スイッチによるHigh期間の検出回数が判定値の値と同じであるか否かの判別が行なわれる。同じであると判別された場合には、ステップ１６４において、払出モータが払出球１個分回転したと判断し、個数切りカウンタの値、即ち、払出モータの動作回数カウンタ７７の値を“１”減算する。続いて、ステップ１６５においてその減算結果が“０”であるか否かの判別が行なわれ、“０”であると判別された場合には、ステップ１６６において、次に処理すべきモータ処理モードをウエイト処理（“０３H”）にセットしステップ１６９に進む。一方、減算結果が“０”でないと判別された場合には、ステップ１６７において、払出球の処理が１個目の払出であったか否かの判別が行なわれ、１個目の払出であったと判別された場合には、ステップ１６８においてスローフラグをクリアしステップ１６９に進む。一方、１個目の払出でないと判別された場合には、そのままステップ１６９に進む。また、ステップ１６３で判定値の値と同じではないと判別された場合にもそのままステップ１６９に進む。
【０１０８】
ステップ１６９において、スローフラグが“０１H”であるか否かの判別が行なわれる。“０１H”であると判別された場合には、ステップ１７０に進み、励磁切り替え時間が経過しているか、即ち、設定したタイマカウンタの割込みが２回行なわれたか否かの判別が行なわれる。一方、“０１H”ではないと判別された場合には、ステップ１７１に進み励磁パターンポインタ（図２３）の値をロードする。そして、ステップ１７２において、ロードした励磁パターンポインタの値を“１”加算し、ステップ１７３においてその加算結果と“０７H”との論理積を取り、ステップ１７４で論理積結果を励磁パターンポインタにセーブしてエラー時駆動処理を終了する。一方、励磁切り替え時間が経過していないと判別された場合には、そのまま通常駆動処理を終了する。終了後は、払出動作処理（図２１）から払出処理（図２０）に戻る。
【０１０９】
図２５に示すエラー時駆動処理では、ステップ１８０において、判定値として“８”をセットする。タイマカウンタの割込み設定により、エラー時駆動処理（ステップ１２６）は１.２５０ｍｓｅｃ毎に行なわれるので、８回のエラー時駆動処理が開始される期間、払出モータ位置検出スイッチがオン状態であれば１回の検出と判断されカウントされる。
【０１１０】
ステップ１８１において、スリットＨ時間カウンタ（図１９）の値、即ち、払出モータ位置検出スイッチによるHigh期間の検出回数が判定値の値と同じであるか否かの判別が行なわれる。同じであると判別された場合には、ステップ１８２において、払出モータが払出球１個分回転したと判断し、個数切りカウンタの値、即ち、払出モータの動作回数カウンタ７７の値を“１”減算する。続いて、ステップ１８３において個数切りカウンタの値が“０”であるか否かの判別が行なわれ、“０”でないと判別された場合には、ステップ１８５に進む。一方、個数切りカウンタの値が“０”であると判別された場合には、ステップ１８４に進み、次に処理すべきモータ処理モードをウエイト処理（“０３H”）にセットしてステップ１８５に進む。
【０１１１】
ステップ１８５において、励磁切り替え時間が経過しているか、即ち、設定したタイマカウンタの割込みが４回行なわれたか否かの判別が行なわれる。励磁切り替え時間が経過していると判別された場合には、ステップ１８６に進み、励磁パターンポインタ（図２３）の値をロードする。そして、ステップ１８７において、ロードした励磁パターンポインタの値を“１”加算し、ステップ１８８においてその加算結果と“０７H”との論理積を取り、ステップ１８９で論理積結果を励磁パターンポインタにセーブしてエラー時駆動処理を終了する。一方、励磁切り替え時間が経過していないと判別された場合には、そのままエラー時駆動処理を終了する。終了後は、払出動作処理（図２１）から払出処理（図２０）に戻る。
【０１１２】
図２６に示すウエイト処理では、ステップ１９０において、ウエイト時間が経過しているか、具体的には、図７のタイミングチャートにおける３００ｍｓｅｃの時間が経過しているか否かの判別が行なわれる。ウエイト時間が経過していると判別された場合には、ステップ１９１に進み、払出残数カウンタの値、即ち、“今回の払出カウンタ”の値がゼロ（「０」）となっているか否かの判別が行なわれる。このカウンタの値がゼロになっていれば不足なく賞球を払い出すことができたことを意味し、ゼロになっていなければ賞球に不足が生じたことを意味する。一方、ウエイト時間が経過していないと判別された場合には、
ウエイト処理を終了し、払出動作処理（図２１）から払出処理（図２０）に戻る。
【０１１３】
ステップ１９１において、払出残数カウンタがゼロではないと判別された場合には、ステップ１９２に進み、払出機構エラーフラグが“０１H”であるか否か、即ち、払出不足数の累計が所定数（例えば、２０個）を超えた状態であるか否かの判別が行なわれる。一方、払出残数カウンタがゼロであると判別された場合には、ステップ１９８に進み、払出成功時のデータのセット、即ち、各データを初期状態に戻している。具体的には、モータ処理モードを払出動作中以外のモード（“００H”）にセットし、連続不足カウンタ、即ち、“不足カウンタ”７８の値をゼロにセットし、払出機構エラーフラグをゼロにセットする。
【０１１４】
ステップ１９２において、払出機構エラーフラグが“０１H”ではない、即ち、払出不足の累計が２０個を超えていないと判別された場合には、ステップ１９３に進み、払出失敗時のデータのセット、即ち、モータ処理モードを払出動作中以外のモード（“００H”）にセットする。続いて、ステップ１９４に進み、連続不足カウンタ、即ち“不足カウンタ”７８に、今回の払出不足数として払出残数カウンタの値、即ち、“今回の払出カウンタ”の値を加算し、ステップ１９５において、連続不足カウンタの値が２０未満であるか否かの判別が行なわれる。一方、ステップ１９２で払出機構エラーフラグが“０１H”であると判別された場合には、ステップ１９７へ進む。
【０１１５】
ステップ１９５において、連続不足カウンタが２０以上であると判別された場合には、払出エラーフラグに“０１H”をセーブする。続いて、ステップ１９７に進み、払出機構エラー時のデータをセット、即ち、モータ処理モードをエラー時ウエイト処理（“０４H”）にセットしウエイト処理を終了する。
【０１１６】
図２７に示すエラー時ウエイト処理では、ステップ２００において、ウエイト時間が経過しているか、具体的には、図８のタイミングチャートにおける５ｓｅｃの時間が経過しているか否かの判別が行なわれる。ウエイト時間が経過していると判別された場合には、ステップ２０１に進み、エラー時ウエイト時間経過時のデータをセット、即ち、モータ処理モードを払出動作中以外のモード（“００H”）にセットし、エラー時ウエイト処理を終了する。一方、ウエイト時間が経過していないと判別された場合には、そのままエラー時ウエイト処理を終了する。
【０１１７】
図２８に計数処理のフローチャートを示す。計数処理では、ステップ２１０において、払出計数スイッチＨ時間カウンタが“２”であるか否か、即ち、タイマカウンタの割込みにより、２回の計数処理が開始される期間、払出計数スイッチ３２がオン状態であったか否かの判別が行なわれる。カウンタが“２”であると判別された場合には、ステップ２１１に進み、払出残数カウンタ、即ち、“払出数カウンタ”７６の値が“０”であるか否かの判別が行なわれる。一方、カウンタが“２”ではないと判別された場合には、計数処理を終了する。
【０１１８】
ステップ２１１において、払出残数カウンタの値が“０”ではないと判別された場合には、ステップ２１２に進み、払出残数カウンタの値を１減算してステップ２１５に進む。一方、払出残数カウンタの値が“０”であると判別された場合には、そのままステップ２１５に進む。ステップ２１５において、賞球中フラグが“０１Ｈ”であるか否か、即ち、現在の払出しが貸出中であるか否かの判別が行なわれ、貸出中ではないと判別された場合には、ステップ２１６に進み、貸出球カウンタがゼロであるか否か、即ち、貸球の払出残数がＲＡＭに格納されているか否かの判別が行なわれる。貸出球カウンタがゼロではないと判別された場合には、ステップ２１７に進み、貸出球カウンタの値を１減算して計数処理を終了する。一方、貸出球カウンタがゼロであると判別された場合には、そのまま計数処理を終了する。ステップ２１５において、貸出中であると判別された場合には、ステップ２１３に進み、賞球カウンタ、即ち、“賞球総数カウンタ”７５の値が“０”であるか否かの判別が行なわれる。ステップ２１３において、“０”ではないと判別された場合には、ステップ２１４に進み、賞球カウンタの値を１減算する。一方、賞球カウンタの値が“０”であると判別された場合にはそのまま計数処理を終了する。そしてメインルーチン（図１７）に戻る。
【０１１９】
ステップ１０９の情報出力設定処理において、各パチンコ機の払出装置から払出された払出球数がホールコンピューターに送信されている。次に、ステップ１１０の電断処理において、パチンコ機の電源が遮断されたことを検出した場合、遊技情報のバックアップ処理を行ない、電源のダウンを待つ。一方、電源が遮断されたと判定されない（遮断されたことを検出していない）場合には、電断処理が終了するとステップ１０２に戻り、以後、上述した各処理を繰り返す。
【図面の簡単な説明】
【０１２０】
【図１】本発明に係るパチンコ機の、全体正面図の一形態を示す図である。
【図２】本発明に係るパチンコ機の、背面斜視図の一形態を示す図である。
【図３】貯留部を構成する受入部、送出部、及び送出機構部を表わす図である。
【図４】本発明に係るパチンコ機の制御系を表わすブロック図である。
【図５】払出制御部周辺の構成を示すブロック図である。
【図６】コマンドデータの種類を示す図である。
【図７】基本賞球払出処理の一形態を示すタイミングチャートである。
【図８】払出不足球が所定数に達した場合の処理の一形態を示すタイミングチャートである。
【図９】エラー時払出処理の一形態を示すタイミングチャートである。
【図１０】スリットエラー処理の一形態を示すタイミングチャートである。
【図１１】モータエラー処理の一形態を示すタイミングチャートである。
【図１２】払出動作の停止条件の一形態を示す図である。
【図１３】払出動作の再開条件の一形態を示す図である。
【図１４】基本球貸払出処理の一形態を示すタイミングチャートである。
【図１５】払出動作の停止条件の一形態を示す図である。
【図１６】払出動作の再開条件の一形態を示す図である。
【図１７】払出制御部のメイン処理を示すフローチャートである。
【図１８】払出制御部の出力処理を示すフローチャートである。
【図１９】払出制御部の入力処理を示すフローチャートである。
【図２０】払出制御部の払出処理を示すフローチャートである。
【図２１】払出制御部の払出動作処理を示すフローチャートである。
【図２２】払出制御部の払出開始処理を示すフローチャートである。
【図２３】払出制御部の励磁処理を示すフローチャートである。
【図２４】払出制御部の通常駆動処理を示すフローチャートである。
【図２５】払出制御部のエラー時駆動処理を示すフローチャートである。
【図２６】払出制御部のウエイト処理を示すフローチャートである。
【図２７】払出制御部のエラー時ウエイト処理を示すフローチャートである。
【図２８】払出制御部の計数処理を示すフローチャートである。
【符号の説明】
【０１２１】
１    パチンコ機
２    画像表示装置
３    大入賞口
５    遊技領域
１０  始動入賞口
１３  球皿部
１６  貸出装置（ＣＲユニット）
２５  貯留部
２６  送出機構部
２７  受入部
２８  送出部
２９  スプロケット
３０  凹部
３２  払出計数スイッチ
４０  主制御部（ＣＰＵ）
４５  払出制御部
４６  払出装置
４７  発射装置
６０  払出モータ
６１  払出モータ位置検出スイッチ
６２  払出路球切れスイッチ
６３  満タンスイッチ
７５  球総数カウンタ（賞球総数カウンタ、貸球総数カウンタ）
７６  払出数カウンタ
７７  払出モータの動作回数カウンタ
７８  不足カウンタ
【図１】
2008093104.tif 000003
【図２】
2008093104.tif 000004
【図３】
2008093104.tif 000005
【図４】
2008093104.tif 000006
【図５】
2008093104.tif 000007
【図６】
2008093104.tif 000008
【図７】
2008093104.tif 000009
【図８】
2008093104.tif 000010
【図９】
2008093104.tif 000011
【図１０】
2008093104.tif 000012
【図１１】
2008093104.tif 000013
【図１２】
2008093104.tif 000014
【図１３】
2008093104.tif 000015
【図１４】
2008093104.tif 000016
【図１５】
2008093104.tif 000017
【図１６】
2008093104.tif 000018
【図１７】
2008093104.tif 000019
【図１８】
2008093104.tif 000020
【図１９】
2008093104.tif 000021
【図２０】
2008093104.tif 000022
【図２１】
2008093104.tif 000023
【図２２】
2008093104.tif 000024
【図２３】
2008093104.tif 000025
【図２４】
2008093104.tif 000026
【図２５】
2008093104.tif 000027
【図２６】
2008093104.tif 000028
【図２７】
2008093104.tif 000029
【図２８】
2008093104.tif 000030